(57)【特許請求の範囲】
【請求項１】
情報を配信する際に配信先を特定するために用いる宛先情報と、前記配信先を識別する識別情報との対応関係を管理する管理サーバであって、
アンテナと識別情報を格納したＩＣチップとを取り付けた携帯電話から、前記配信先の宛先情報と前記識別情報を含んだ電子メールを受信する電子メール受信手段と、
前記受信した電子メールから配信先の宛先情報を取得する宛先情報取得手段と、
前記受信した電子メールから前記識別情報を取得する識別情報取得手段と、
前記取得した宛先情報に宛てて、パスワードと当該パスワードの返信先の宛先情報を送信するパスワード送信手段と、
前記返信先の宛先情報に宛てて返信されてきたパスワードを取得するパスワード取得手段と、
前記取得したパスワードを前記パスワード送信手段で送信する際に用いた宛先情報と、
当該宛先情報で特定される配信先を識別する識別情報と、を対応させて登録する登録手段と、
ネットワークを介して前記管理サーバと接続されたスキャナが前記アンテナから受信した前記識別情報を、前記スキャナから受信する識別情報受信手段と、
前記受信した識別情報に基づき、当該識別情報と対応させて登録されている宛先情報を特定する特定手段と、
を具備したことを特徴とする管理サーバ。
【請求項２】
前記識別情報は、非接触型ＩＣチップが送出するチップＩＤであることを特徴とする請求項１に記載の管理サーバ。
【請求項３】
前記情報配信先の宛先情報は、携帯電話のメールアドレスであることを特徴とする請求項１に記載の管理サーバ。
【請求項４】
前記返信先の宛先情報は、所定のＵＲＬであることを特徴とする請求項１に記載の管理サーバ。
【請求項５】
前記パスワードは有効期限が設定されたパスワードであることを特徴とする請求項１に記載の管理サーバ。
【請求項６】
前記パスワードは１回のみ使用可能なワンタイムパスワードであることを特徴とする請求項１に記載の管理サーバ。
【請求項７】
情報を配信する際に配信先を特定するために用いる宛先情報と、前記配信先を識別する識別情報との対応関係を管理する管理サーバであって、
アンテナと識別情報を格納したＩＣチップとを取り付けた携帯電話から、前記配信先の宛先情報と前記識別情報を含んだ電子メールを受信する電子メール受信手段と、
前記受信した電子メールから配信先の宛先情報を取得する宛先情報取得手段と、
前記受信した電子メールから前記識別情報を取得する識別情報取得手段と、
前記取得した宛先情報に宛てて、返信先の宛先情報を送信する返信宛先情報送信手段と、
前記返信先の宛先情報に宛てて返信されてきた返信情報から、当該返信情報の返信元の宛先情報を取得する返信元宛先情報取得手段と、
前記宛先情報取得手段で取得した宛先情報のうち、前記返信されてきた宛先情報と一致する前記宛先情報と、当該宛先情報で特定される配信先を識別する識別情報と、を対応させて登録する登録手段と、
ネットワークを介して前記管理サーバと接続されたスキャナが前記アンテナから受信した前記識別情報を、前記スキャナから受信する識別情報受信手段と、
前記受信した識別情報に基づき、当該識別情報と対応させて登録されている宛先情報を特定する特定手段と、
を具備したことを特徴とする管理サーバ。
【請求項８】
情報を配信する際に配信先を特定するために用いる宛先情報と、前記配信先を識別する識別情報との対応関係を管理する管理サーバであって、
アンテナと識別情報を格納したＩＣチップとを取り付けた携帯電話から、前記配信先の前記識別情報に対応付けられている第１の宛先情報と前記識別情報に新たに対応付ける第２の宛先情報とを含んだ電子メールを受信する電子メール受信手段と、
前記受信した電子メールから前記第１の宛先情報を取得する第１の宛先情報取得手段と、
前記受信した電子メールから前記第１の宛先情報に関連付けて取得する第２の宛先情報取得手段と、
前記取得した第２の宛先情報に宛てて、パスワードと当該パスワードの返信先の宛先情報を送信するパスワード送信手段と、
前記返信先の宛先情報に宛てて返信されてきたパスワードを取得するパスワード取得手段と、
前記取得したパスワードを前記パスワード送信手段で送信する際に用いた、第２の宛先情報を特定し、更に当該第２の宛先情報に関連付けられている前記第１の宛先情報を特定する第１の宛先情報特定手段と、
前記特定された第１の宛先情報と、当該第１の宛先情報に対応付けられている識別情報との対応関係を解除し、当該第１の宛先情報に関連付けられている前記第２の宛先情報を当該識別情報に対応付けて再登録する再登録手段と、
ネットワークを介して前記管理サーバと接続されたスキャナが前記アンテナから受信した前記識別情報を、前記スキャナから受信する識別情報受信手段と、
前記受信した識別情報に基づき、当該識別情報と対応させて登録されている前記第２の宛先情報を特定する特定手段と、
を具備したことを特徴とする管理サーバ。
【請求項９】
情報を配信する際に配信先を特定するために用いる宛先情報と、前記配信先を識別する識別情報との対応関係を管理する管理サーバであって、
アンテナと識別情報を格納したＩＣチップとを取り付けた携帯電話から、前記配信先の前記識別情報との対応関係を解除する宛先情報を含んだ電子メールを受信する電子メール受信手段と、
前記受信した電子メールから前記宛先情報を取得する宛先情報取得手段と、
前記取得した宛先情報に宛てて、パスワードと当該パスワードの返信先の宛先情報を送信するパスワード送信手段と、
前記返信先の宛先情報に宛てて返信されてきたパスワードを取得するパスワード取得手段と、
前記取得したパスワードを前記パスワード送信手段で送信する際に用いた宛先情報と、
当該宛先情報で特定される配信先を識別する識別情報との対応関係を解除する登録解除手段と、
を具備したことを特徴とする管理サーバ。
【請求項１０】
ネットワークを介して識別情報を取得し、当該識別情報に対応付けられた宛先情報に宛ててコンテンツを配信する情報配信サーバであって、
アンテナと識別情報を格納したＩＣチップとを取り付けた携帯電話から、情報配信先の宛先情報を含む電子メールを受信する電子メール受信手段と、
前記受信した電子メールから前記情報配信先の宛先情報を取得する宛先情報取得手段と、
前記取得した宛先情報に宛てて、パスワードと当該パスワードの返信先の宛先情報を送信するパスワード送信手段と、
前記返信先の宛先情報に宛てて返信されてきたパスワードを取得するパスワード取得手段と、
前記取得したパスワードを前記パスワード送信手段で送信する際に用いた宛先情報に宛ててコンテンツを配信する配信手段と、
を具備したことを特徴とする情報配信サーバ。
【請求項１１】
前記コンテンツは、前記宛先情報に対応付けられて管理されている情報であることを特徴とする請求項１０に記載の情報配信サーバ。
【請求項１２】
電子メール受信手段と、宛先情報取得手段と、識別情報取得手段と、パスワード送信手段と、パスワード取得手段と、登録手段と、を具備し、情報を配信する際に配信先を特定するために用いる宛先情報と、前記配信先を識別する識別情報との対応関係を管理するコンピュータにおいて、
前記電子メール受信手段で、アンテナと識別情報を格納したＩＣチップとを取り付けた携帯電話から、前記配信先の宛先情報と前記識別情報を含んだ電子メールを受信するステップと、
前記宛先情報取得手段で、前記受信した電子メールから配信先の宛先情報を取得する宛先情報取得ステップと、
前記識別情報取得手段で、前記受信した電子メールから識別情報を取得する識別情報取得ステップと、
前記パスワード送信手段で、前記取得した宛先情報に宛てて、パスワードと当該パスワードの返信先の宛先情報を送信するパスワード送信ステップと、
前記パスワード取得手段で、前記返信先の宛先情報に宛てて返信されてきたパスワードを取得するパスワード取得ステップと、
前記登録手段で、前記取得したパスワードを前記パスワード送信手段で送信する際に用いた宛先情報と、当該宛先情報で特定される配信先を識別する識別情報と、を対応させて登録する登録ステップと、
ネットワークを介して前記コンピュータと接続されたスキャナが前記アンテナから受信した前記識別情報を、前記スキャナから受信する識別情報受信するステップと、
前記受信した識別情報に基づき、当該識別情報と対応させて登録されている宛先情報を特定するステップと、
から構成されたことを特徴とする管理方法。
【請求項１３】
電子メール受信手段と、宛先情報取得手段と、識別情報取得手段と、返信宛先情報送信手段と、返信元宛先情報取得手段と、登録手段と、を具備し、情報を配信する際に配信先を特定するために用いる宛先情報と、前記配信先を識別する識別情報との対応関係を管理するコンピュータにおいて、
前記電子メール受信手段で、アンテナと識別情報を格納したＩＣチップとを取り付けた携帯電話から、前記配信先の宛先情報と前記識別情報を含んだ電子メールを受信するステップと、
前記宛先情報取得手段で、前記受信した電子メールから配信先の宛先情報を取得する宛先情報取得ステップと、
前記識別情報取得手段で、前記受信した電子メールから識別情報を取得する識別情報取得ステップと、
返信宛先情報送信手段で、前記取得した宛先情報に宛てて、返信先の宛先情報を送信する返信宛先情報送信ステップと、
前記返信元宛先情報取得手段で、前記返信先の宛先情報に宛てて返信されてきた返信情報から、当該返信情報の返信元の宛先情報を取得する返信元宛先情報取得ステップと、
前記登録手段で、前記宛先情報取得手段で取得した宛先情報のうち、前記返信されてきた宛先情報と一致する前記宛先情報と、当該宛先情報で特定される配信先を識別する識別情報と、を対応させて登録する登録ステップと、
ネットワークを介して前記コンピュータと接続されたスキャナが前記アンテナから受信した前記識別情報を、前記スキャナから受信する識別情報受信するステップと、
前記受信した識別情報に基づき、当該識別情報と対応させて登録されている宛先情報を特定するステップと、
から構成されたことを特徴とする管理方法。
【請求項１４】
電子メール受信手段と、第１の宛先情報取得手段と、第２の宛先情報取得手段と、パスワード送信手段と、パスワード取得手段と、第１の宛先情報特定手段と、再登録手段と、
を具備し、情報を配信する際に配信先を特定するために用いる宛先情報と、前記配信先を識別する識別情報との対応関係を管理するコンピュータにおいて、
電子メール受信手段で、アンテナと識別情報を格納したＩＣチップとを取り付けた携帯電話から、前記配信先の前記識別情報に対応付けられている第１の宛先情報と前記識別情報に新たに対応付ける第２の宛先情報とを含んだ電子メールを受信するステップと、
前記第１の宛先情報取得手段で、前記受信した電子メールから前記第１の宛先情報を取得する第１の宛先情報取得ステップと、
前記第２の宛先情報取得手段で、前記受信した電子メールから前記第２の宛先情報を、
前記第１の宛先情報に関連付けて取得する第２の宛先情報取得ステップと、
前記パスワード送信手段で、前記取得した第２の宛先情報に宛てて、パスワードと当該パスワードの返信先の宛先情報を送信するパスワード送信ステップと、
前記パスワード取得手段で、前記返信先の宛先情報に宛てて返信されてきたパスワードを取得するパスワード取得ステップと、
前記第１の宛先情報特定手段で、前記取得したパスワードを前記パスワード送信手段で送信する際に用いた、第２の宛先情報を特定し、更に当該第２の宛先情報に関連付けられている前記第１の宛先情報を特定する第１の宛先情報特定ステップと、
前記再登録手段で、前記特定された第１の宛先情報と、当該第１の宛先情報に対応付けられている識別情報との対応関係を解除し、当該第１の宛先情報に関連付けられている前記第２の宛先情報を当該識別情報に対応付けて再登録する再登録ステップと、
ネットワークを介して前記コンピュータと接続されたスキャナが前記アンテナから受信した前記識別情報を、前記スキャナから受信する識別情報受信するステップと、
前記受信した識別情報に基づき、当該識別情報と対応させて登録されている前記第２の宛先情報を特定するステップと、
から構成されたことを特徴とする管理方法。
【請求項１５】
電子メール受信手段と、宛先情報取得手段と、パスワード送信手段と、パスワード取得手段と、登録解除手段と、を具備し、情報を配信する際に配信先を特定するために用いる宛先情報と、前記配信先を識別する識別情報との対応関係を管理するコンピュータにおいて、
電子メール受信手段で、アンテナと識別情報を格納したＩＣチップとを取り付けた携帯電話から、前記配信先の前記識別情報との対応関係を解除する宛先情報を含んだ電子メールを受信するステップと、
前記宛先情報取得手段で、前記受信した電子メールから前記宛先情報を取得する宛先情報取得ステップと、
前記パスワード送信手段で、前記取得した宛先情報に宛てて、パスワードと当該パスワードの返信先の宛先情報を送信するパスワード送信ステップと、
前記パスワード取得手段で、前記返信先の宛先情報に宛てて返信されてきたパスワードを取得するパスワード取得ステップと、
前記登録解除手段で、前記取得したパスワードを前記パスワード送信手段で送信する際に用いた宛先情報と、当該宛先情報で特定される配信先を識別する識別情報との対応関係を解除する登録解除ステップと、
から構成されたことを特徴とする管理方法。
【請求項１６】
電子メール受信手段と、宛先情報取得手段と、パスワード送信手段と、パスワード取得手段と、配信手段と、を具備し、ネットワークを介して識別情報を取得し、当該識別情報に対応付けられた宛先情報に宛ててコンテンツを配信するコンピュータにおいて、
電子メール受信手段で、アンテナと識別情報を格納したＩＣチップとを取り付けた携帯電話から、情報配信先の宛先情報を含む電子メールを受信するステップと、
前記宛先情報取得手段で、前記受信した電子メールから前記情報配信先の宛先情報を取得する宛先情報取得ステップと、
前記パスワード送信手段で、前記取得した宛先情報に宛てて、パスワードと当該パスワードの返信先の宛先情報を送信するパスワード送信ステップと、
前記パスワード取得手段で、前記返信先の宛先情報に宛てて返信されてきたパスワードを取得するパスワード取得ステップと、
前記配信手段で、前記取得したパスワードを前記パスワード送信手段で送信する際に用いた宛先情報に宛ててコンテンツを配信する配信ステップと、
から構成されたことを特徴とする情報配信方法。
【請求項１７】
アンテナと識別情報を格納したＩＣチップとを取り付けた携帯電話から、前記配信先の宛先情報と前記識別情報を含んだ電子メールを受信する電子メール受信手段機能と、
前記受信した電子メールから前記宛先情報を取得する宛先情報取得機能と、
前記受信した電子メールから前記識別情報を取得する識別情報取得機能と、
前記取得した宛先情報に宛てて、パスワードと当該パスワードの返信先の宛先情報を送信するパスワード送信機能と、
前記返信先の宛先情報に宛てて返信されてきたパスワードを取得するパスワード取得機能と、前記取得したパスワードを前記パスワード送信機能で送信する際に用いた宛先情報と、
当該宛先情報で特定される配信先を識別する識別情報と、を対応させて登録する登録機能と、
ネットワークを介して接続されたスキャナが前記アンテナから受信した前記識別情報を、前記スキャナから受信する識別情報受信機能と、
前記受信した識別情報に基づき、当該識別情報と対応させて登録されている宛先情報を特定する特定機能と、
をコンピュータで実現するための管理プログラム。
【請求項１８】
アンテナと識別情報を格納したＩＣチップとを取り付けた携帯電話から、前記配信先の宛先情報と前記識別情報を含んだ電子メールを受信する電子メール受信手段機能と、
前記受信した電子メールから前記配信先の宛先情報を取得する宛先情報取得機能と、
前記受信した電子メールから識別情報を取得する識別情報取得機能と、
前記取得した宛先情報に宛てて、返信先の宛先情報を送信する返信宛先情報送信機能と、
前記返信先の宛先情報に宛てて返信されてきた返信情報から、当該返信情報の返信元の宛先情報を取得する返信元宛先情報取得機能と、
前記宛先情報取得機能で取得した宛先情報のうち、前記返信されてきた宛先情報と一致する前記宛先情報と、当該宛先情報で特定される配信先を識別する識別情報と、を対応させて登録する登録機能と、
ネットワークを介して接続されたスキャナが前記アンテナから受信した前記識別情報を、前記スキャナから受信する識別情報受信機能と、
前記受信した識別情報に基づき、当該識別情報と対応させて登録されている宛先情報を特定する特定機能と、
をコンピュータで実現するための管理プログラム。
【請求項１９】
アンテナと識別情報を格納したＩＣチップとを取り付けた携帯電話から、前記配信先の前記識別情報に対応付けられている第１の宛先情報と前記識別情報に新たに対応付ける第２の宛先情報とを含んだ電子メールを受信する電子メール受信機能と、
前記受信した電子メールから前記第１の宛先情報を取得する第１の宛先情報取得機能と、
前記受信した電子メールから前記第２の宛先情報を、前記第１の宛先情報に関連付けて取得する第２の宛先情報取得機能と、
前記取得した第２の宛先情報に宛てて、パスワードと当該パスワードの返信先の宛先情報を送信するパスワード送信機能と、
前記返信先の宛先情報に宛てて返信されてきたパスワードを取得するパスワード取得機能と、
前記取得したパスワードを前記パスワード送信機能で送信する際に用いた、第２の宛先情報を特定し、更に当該第２の宛先情報に関連付けられている前記第１の宛先情報を特定する第１の宛先情報特定機能と、
前記特定された第１の宛先情報と、当該第１の宛先情報に対応付けられている識別情報との対応関係を解除し、当該第１の宛先情報に関連付けられている前記第２の宛先情報を当該識別情報に対応付けて再登録する再登録機能と、
ネットワークを介して接続されたスキャナが前記アンテナから受信した前記識別情報を、前記スキャナから受信する識別情報受信機能と、
前記受信した識別情報に基づき、当該識別情報と対応させて登録されている前記第２の宛先情報を特定する特定機能と、
をコンピュータで実現するための管理プログラム。
【請求項２０】
アンテナと識別情報を格納したＩＣチップとを取り付けた携帯電話から、識別情報との対応関係を解除する宛先情報を含んだ電子メールを受信する電子メール受信機能と、
前記受信した電子メールから前記識別情報との対応関係を解除する宛先情報を取得する宛先情報取得機能と、
前記取得した宛先情報に宛てて、パスワードと当該パスワードの返信先の宛先情報を送信するパスワード送信機能と、
前記返信先の宛先情報に宛てて返信されてきたパスワードを取得するパスワード取得機能と、
前記取得したパスワードを前記パスワード送信機能で送信する際に用いた宛先情報と、
当該宛先情報で特定される配信先を識別する識別情報との対応関係を解除する登録解除機能と、
をコンピュータで実現するための管理プログラム。
【請求項２１】
アンテナと識別情報を格納したＩＣチップとを取り付けた携帯電話から、情報配信先の宛先情報を含んだ電子メールを受信する電子メール受信機能と、
前記受信した電子メールから前記情報配信先の宛先情報を取得する宛先情報取得機能と、
前記取得した宛先情報に宛てて、パスワードと当該パスワードの返信先の宛先情報を送信するパスワード送信機能と、
前記返信先の宛先情報に宛てて返信されてきたパスワードを取得するパスワード取得機能と、
前記取得したパスワードを前記パスワード送信機能で送信する際に用いた宛先情報に宛ててコンテンツを配信する配信機能と、
をコンピュータで実現するための情報配信プログラム。
【請求項２２】
アンテナと識別情報を格納したＩＣチップとを取り付けた携帯電話から、配信先の宛先情報を含んだ電子メールを受信する電子メール受信機能と、
前記受信した電子メールから前記配信先の宛先情報を取得する宛先情報取得機能と、
前記取得した宛先情報で特定される配信先を識別するための識別情報を取得する識別情報取得機能と、
前記取得した宛先情報に宛てて、パスワードと当該パスワードの返信先の宛先情報を送信するパスワード送信機能と、
前記返信先の宛先情報に宛てて返信されてきたパスワードを取得するパスワード取得機能と、
前記取得したパスワードを前記パスワード送信機能で送信する際に用いた宛先情報と、
当該宛先情報で特定される配信先を識別する識別情報と、を対応させて登録する登録機能と、
ネットワークを介して接続されたスキャナが前記アンテナから受信した前記識別情報を、前記スキャナから受信する識別情報受信機能と、
前記受信した識別情報に基づき、当該識別情報と対応させて登録されている宛先情報を特定する特定機能と、
をコンピュータで実現するための管理プログラムを記憶したコンピュータが読取り可能な記憶媒体。
【請求項２３】
アンテナと識別情報を格納したＩＣチップとを取り付けた携帯電話から、配信先の宛先情報を含んだ電子メールを受信する電子メール受信機能と、
前記受信した電子メールから前記配信先の宛先情報を取得する宛先情報取得機能と、
前記取得した宛先情報で特定される配信先を識別するための識別情報を取得する識別情報取得機能と、
前記取得した宛先情報に宛てて、返信先の宛先情報を送信する返信宛先情報送信機能と、
前記返信先の宛先情報に宛てて返信されてきた返信情報から、当該返信情報の返信元の宛先情報を取得する返信元宛先情報取得機能と、
前記宛先情報取得機能で取得した宛先情報のうち、前記返信されてきた宛先情報と一致する前記宛先情報と、
当該宛先情報で特定される配信先を識別する識別情報と、を対応させて登録する登録機能と、
ネットワークを介して接続されたスキャナが前記アンテナから受信した前記識別情報を、前記スキャナから受信する識別情報受信機能と、
前記受信した識別情報に基づき、当該識別情報と対応させて登録されている宛先情報を特定する特定機能と、
をコンピュータで実現するための管理プログラムを記憶したコンピュータが読取り可能な記憶媒体。
【請求項２４】
アンテナと識別情報を格納したＩＣチップとを取り付けた携帯電話から、前記配信先の前記識別情報に対応付けられている第１の宛先情報と前記識別情報に新たに対応付ける第２の宛先情報とを含んだ電子メールを受信する電子メール受信機能と、
前記受信した電子メールから前記第１の宛先情報を取得する第１の宛先情報取得機能と、
前記受信した電子メールから前記第２の宛先情報を、前記第１の宛先情報に関連付けて取得する第２の宛先情報取得機能と、
前記取得した第２の宛先情報に宛てて、パスワードと当該パスワードの返信先の宛先情報を送信するパスワード送信機能と、
前記返信先の宛先情報に宛てて返信されてきたパスワードを取得するパスワード取得機能と、
前記取得したパスワードを前記パスワード送信機能で送信する際に用いた、第２の宛先情報を特定し、更に当該第２の宛先情報に関連付けられている前記第１の宛先情報を特定する第１の宛先情報特定機能と、
前記特定された第１の宛先情報と、当該第１の宛先情報に対応付けられている識別情報との対応関係を解除し、当該第１の宛先情報に関連付けられている前記第２の宛先情報を当該識別情報に対応付けて再登録する再登録機能と、
ネットワークを介して接続されたスキャナが前記アンテナから受信した前記識別情報を、
前記スキャナから受信する識別情報受信機能と、
前記受信した識別情報に基づき、当該識別情報と対応させて登録されている前記第二の宛先情報を特定する特定機能と、
をコンピュータで実現するための管理プログラムを記憶したコンピュータが読取り可能な記憶媒体。
【請求項２５】
アンテナと識別情報を格納したＩＣチップとを取り付けた携帯電話から、識別情報との対応関係を解除する宛先情報を含んだ電子メールを受信する電子メール受信機能と、
前記受信した電子メールから前記識別情報との対応関係を解除する宛先情報を取得する宛先情報取得機能と、
前記取得した宛先情報に宛てて、パスワードと当該パスワードの返信先の宛先情報を送信するパスワード送信機能と、前記返信先の宛先情報に宛てて返信されてきたパスワードを取得するパスワード取得機能と、
前記取得したパスワードを前記パスワード送信機能で送信する際に用いた宛先情報と、
当該宛先情報で特定される配信先を識別する識別情報との対応関係を解除する登録解除機能と、
をコンピュータで実現するための管理プログラムを記憶したコンピュータが読取り可能な記憶媒体。
【請求項２６】
アンテナと識別情報を格納したＩＣチップとを取り付けた携帯電話から、情報配信先の宛先情報を含んだ電子メールを受信する電子メール受信機能と、
前記受信した電子メールから前記情報配信先の宛先情報を取得する宛先情報取得機能と、
前記取得した宛先情報に宛てて、パスワードと当該パスワードの返信先の宛先情報を送信するパスワード送信機能と、
前記返信先の宛先情報に宛てて返信されてきたパスワードを取得するパスワード取得機能と、前記取得したパスワードを前記パスワード送信機能で送信する際に用いた宛先情報に宛ててコンテンツを配信する配信機能と、
をコンピュータで実現するための情報配信プログラムを記憶したコンピュータが読取り可能な記憶媒体。
【発明の詳細な説明】
【０００１】
【発明の属する技術分野】
本発明は管理サーバ、管理方法、管理プログラム、及び記憶媒体などに関し、例えば、非接触ＩＣチップを用いた情報配信システムに用いるものに関する。
【０００２】
【従来の技術】
近年、非接触型ＩＣチップ（以下ＩＣチップ）が様々な分野で利用されるようになってきた。
ＩＣチップはデータやアプリケーションソフトなどを格納することができると共に、ユーザがＩＣチップをシステム側のアンテナにかざすと、システム側は、非接触ＩＣチップに対してデータの書き込みを行うことができる。
ＩＣチップは、格納されるデータやアプリケーションソフトなどにより、例えば、身分証明用ＩＤカード、交通機関の定期やプリペイドカード、商店街で発行するポイントを蓄積するポイントカード、予め金額をチャージして商品やサービスの購入代金支払を行う電子マネーカードなどとして利用されている。
【０００３】
このようなＩＣチップの中に、アンテナに近づけると固有のＩＤ（以下チップＩＤ）をシステム側に返すものがある。このチップＩＤはＲＦＩＤ（ＲａｄｉｏＦｒｅｑｕｅｎｃｙ  Ｉｄｅｎｔｉｆｉｃａｔｉｏｎ）などと呼ばれている。これを近年急速に普及してきたインターネット対応の携帯電話を組み合わせることにより、ユーザに新たなサービスを提供するシステムが各種提案されている。
図１９は、このようにＩＣチップとインターネット対応の携帯電話を組み合わせた広告システムの一例を示した図である。
【０００４】
このシステムは、ユーザが所有する携帯電話１０１、携帯電話１０１のストラップに埋め込まれたＩＣチップ１０２、ＩＣチップにチップＩＤを読取るアンテナ１０３、アンテナ１０３が埋め込まれた看板１０８、アンテナ１０３が読取ったチップＩＤをネットワークを介して広告サーバ１０５に送信する端末装置１０４、広告を携帯電話１０１に電子メールで配信する広告サーバ１０５、配信された広告を携帯電話１０１に無線送信する中継局である基地局１０７などから、構成されている。
【０００５】
ユーザが看板１０８に記載された広告に関して更に詳細な情報が欲しい場合、ＩＣチップ１０２をアンテナ１０３にかざす。すると端末装置１０４がアンテナ１０３を用いてＩＣチップからチップＩＤを読出し、これを看板１０８のＩＤである看板ＩＤと共に広告サーバ１０５に送信する。
【０００６】
広告サーバ１０５は、携帯電話１０１のメールアドレスとチップＩＤを対応させたテーブル１０６を備えており、端末装置１０４から送信されてきたチップＩＤから携帯電話１０１のメールアドレスを特定できるようになっている。
図示しないが、広告サーバ１０５は、各看板とこれら看板に対応付けられた広告コンテンツを備えており、看板ＩＤから送信すべき広告コンテンツを特定できるようになっている。
【０００７】
広告サーバ１０５は、端末装置１０４から送信されてきたチップＩＤと看板ＩＤから看板１０８に対応した広告コンテンツと携帯電話１０１のメールアドレスを検索し、検索されたコンテンツを携帯電話１０１に送信する。
このように、ユーザは、興味のある看板を見つけた場合、ＩＣチップをアンテナにかざすことにより、より詳細な情報を電子メールにて取得することができる。
【０００８】
以上のシステムは一例であって、この他に、例えばユーザが複合商業施設に入場する際にＩＣチップを配布してメールアドレスを登録してもらい、ユーザに案内情報を送信したりすることもできる。
また、例えば、チップＩＤと共にユーザの属性（性別、年齢など）をシステム側に返し、ユーザの属性別の広告コンテンツを送信することもできる。
【０００９】
【発明が解決しようとする課題】
ところで、このようにチップＩＤとインターネット対応の携帯電話を組み合わせたサービスを提供する場合、チップＩＤとメールアドレスを予めユーザに登録してもらう必要がある。
従来は、この登録を、例えば用紙にチップＩＤとメールアドレスを記入してもらったり、あるいは単にチップＩＤとメールアドレスをインターネット経由で送信してもらったりなどしていた。
そのため、第三者によるなりすまし登録を防止するなど、セキュリティを高める何らかの対策を講じる必要がある。しかも、ユーザが簡便に登録できるシステムであることも重要である。
【００１０】
そこで、本発明の目的は、ＩＣチップを特定する情報と、コンテンツ送信先を特定する情報を簡単にかつ安全に登録することができる情報配信サーバなどを提供することである。
【００１１】
【課題を解決するための手段】
前記目的を達成するために、本発明のある観点によれば、情報を配信する際に配信先を特定するために用いる宛先情報と、前記配信先を識別する識別情報との対応関係を管理する管理サーバであって、アンテナと識別情報を格納したＩＣチップとを取り付けた携帯電話から、前記配信先の宛先情報と前記識別情報を含んだ電子メールを受信する電子メール受信手段と、前記受信した電子メールから配信先の宛先情報を取得する宛先情報取得手段と、前記受信した電子メールから前記識別情報を取得する識別情報取得手段と、前記取得した宛先情報に宛てて、パスワードと当該パスワードの返信先の宛先情報を送信するパスワード送信手段と、前記返信先の宛先情報に宛てて返信されてきたパスワードを取得するパスワード取得手段と、前記取得したパスワードを前記パスワード送信手段で送信する際に用いた宛先情報と、当該宛先情報で特定される配信先を識別する識別情報と、を対応させて登録する登録手段と、ネットワークを介して前記管理サーバと接続されたスキャナが前記アンテナから受信した前記識別情報を、前記スキャナから受信する識別情報受信手段と、前記受信した識別情報に基づき、当該識別情報と対応させて登録されている宛先情報を特定する特定手段と、を具備したことを特徴とする管理サーバが提供される。前記管理サーバにおいて、前記識別情報は、非接触型ＩＣチップが送出するチップＩＤであってもよい。また、前記管理サーバにおいて、前記情報配信先の宛先情報は、携帯電話のメールアドレスであってもよい。また、前記管理サーバにおいて、前記返信先の宛先情報は、所定のＵＲＬであってもよい。また、前記管理サーバにおいて、前記パスワードは有効期限が設定されたパスワードであってもよい。また、前記管理サーバにおいて、前記パスワードは１回のみ使用可能なワンタイムパスワードであってもよい。また上記課題を解決するために、本発明の別の観点によれば、情報を配信する際に配信先を特定するために用いる宛先情報と、前記配信先を識別する識別情報との対応関係を管理する管理サーバであって、アンテナと識別情報を格納したＩＣチップとを取り付けた携帯電話から、前記配信先の宛先情報と前記識別情報を含んだ電子メールを受信する電子メール受信手段と、前記受信した電子メールから配信先の宛先情報を取得する宛先情報取得手段と、前記受信した電子メールから前記識別情報を取得する識別情報取得手段と、前記取得した宛先情報に宛てて、返信先の宛先情報を送信する返信宛先情報送信手段と、前記返信先の宛先情報に宛てて返信されてきた返信情報から、当該返信情報の返信元の宛先情報を取得する返信元宛先情報取得手段と、前記宛先情報取得手段で取得した宛先情報のうち、前記返信されてきた宛先情報と一致する前記宛先情報と、当該宛先情報で特定される配信先を識別する識別情報と、を対応させて登録する登録手段と、ネットワークを介して前記管理サーバと接続されたスキャナが前記アンテナから受信した前記識別情報を、前記スキャナから受信する識別情報受信手段と、前記受信した識別情報に基づき、当該識別情報と対応させて登録されている宛先情報を特定する特定手段と、を具備したことを特徴とする管理サーバが提供される。また上記課題を解決するために、本発明の別の観点によれば、情報を配信する際に配信先を特定するために用いる宛先情報と、前記配信先を識別する識別情報との対応関係を管理する管理サーバであって、アンテナと識別情報を格納したＩＣチップとを取り付けた携帯電話から、前記配信先の前記識別情報に対応付けられている第１の宛先情報と前記識別情報に新たに対応付ける第２の宛先情報とを含んだ電子メールを受信する電子メール受信手段と、前記受信した電子メールから前記第１の宛先情報を取得する第１の宛先情報取得手段と、前記受信した電子メールから前記第１の宛先情報に関連付けて取得する第２の宛先情報取得手段と、前記取得した第２の宛先情報に宛てて、パスワードと当該パスワードの返信先の宛先情報を送信するパスワード送信手段と、前記返信先の宛先情報に宛てて返信されてきたパスワードを取得するパスワード取得手段と、前記取得したパスワードを前記パスワード送信手段で送信する際に用いた、第２の宛先情報を特定し、更に当該第２の宛先情報に関連付けられている前記第１の宛先情報を特定する第１の宛先情報特定手段と、前記特定された第１の宛先情報と、当該第１の宛先情報に対応付けられている識別情報との対応関係を解除し、当該第１の宛先情報に関連付けられている前記第２の宛先情報を当該識別情報に対応付けて再登録する再登録手段と、ネットワークを介して前記管理サーバと接続されたスキャナが前記アンテナから受信した前記識別情報を、前記スキャナから受信する識別情報受信手段と、前記受信した識別情報に基づき、当該識別情報と対応させて登録されている前記第２の宛先情報を特定する特定手段と、を具備したことを特徴とする管理サーバが提供される。また上記課題を解決するために、本発明の別の観点によれば、情報を配信する際に配信先を特定するために用いる宛先情報と、前記配信先を識別する識別情報との対応関係を管理する管理サーバであって、アンテナと識別情報を格納したＩＣチップとを取り付けた携帯電話から、前記配信先の前記識別情報との対応関係を解除する宛先情報を含んだ電子メールを受信する電子メール受信手段と、前記受信した電子メールから前記宛先情報を取得する宛先情報取得手段と、前記取得した宛先情報に宛てて、パスワードと当該パスワードの返信先の宛先情報を送信するパスワード送信手段と、前記返信先の宛先情報に宛てて返信されてきたパスワードを取得するパスワード取得手段と、前記取得したパスワードを前記パスワード送信手段で送信する際に用いた宛先情報と、当該宛先情報で特定される配信先を識別する識別情報との対応関係を解除する登録解除手段と、を具備したことを特徴とする管理サーバが提供される。また上記課題を解決するために、本発明の別の観点によれば、ネットワークを介して識別情報を取得し、当該識別情報に対応付けられた宛先情報に宛ててコンテンツを配信する情報配信サーバであって、アンテナと識別情報を格納したＩＣチップとを取り付けた携帯電話から、情報配信先の宛先情報を含む電子メールを受信する電子メール受信手段と、前記受信した電子メールから前記情報配信先の宛先情報を取得する宛先情報取得手段と、前記取得した宛先情報に宛てて、パスワードと当該パスワードの返信先の宛先情報を送信するパスワード送信手段と、前記返信先の宛先情報に宛てて返信されてきたパスワードを取得するパスワード取得手段と、前記取得したパスワードを前記パスワード送信手段で送信する際に用いた宛先情報に宛ててコンテンツを配信する配信手段と、を具備したことを特徴とする情報配信サーバが提供される。前記情報配信サーバにおいて、前記コンテンツは、前記宛先情報に対応付けられて管理されている情報であってもよい。また上記課題を解決するために、本発明の別の観点によれば、電子メール受信手段と、宛先情報取得手段と、識別情報取得手段と、パスワード送信手段と、パスワード取得手段と、登録手段と、を具備し、情報を配信する際に配信先を特定するために用いる宛先情報と、前記配信先を識別する識別情報との対応関係を管理するコンピュータにおいて、前記電子メール受信手段で、アンテナと識別情報を格納したＩＣチップとを取り付けた携帯電話から、前記配信先の宛先情報と前記識別情報を含んだ電子メールを受信するステップと、前記宛先情報取得手段で、前記受信した電子メールから配信先の宛先情報を取得する宛先情報取得ステップと、前記識別情報取得手段で、前記受信した電子メールから識別情報を取得する識別情報取得ステップと、前記パスワード送信手段で、前記取得した宛先情報に宛てて、パスワードと当該パスワードの返信先の宛先情報を送信するパスワード送信ステップと、前記パスワード取得手段で、前記返信先の宛先情報に宛てて返信されてきたパスワードを取得するパスワード取得ステップと、前記登録手段で、前記取得したパスワードを前記パスワード送信手段で送信する際に用いた宛先情報と、当該宛先情報で特定される配信先を識別する識別情報と、を対応させて登録する登録ステップと、ネットワークを介して前記コンピュータと接続されたスキャナが前記アンテナから受信した前記識別情報を、前記スキャナから受信する識別情報受信するステップと、前記受信した識別情報に基づき、当該識別情報と対応させて登録されている宛先情報を特定するステップと、から構成されたことを特徴とする管理方法が提供される。また上記課題を解決するために、本発明の別の観点によれば、電子メール受信手段と、宛先情報取得手段と、識別情報取得手段と、返信宛先情報送信手段と、返信元宛先情報取得手段と、登録手段と、を具備し、情報を配信する際に配信先を特定するために用いる宛先情報と、前記配信先を識別する識別情報との対応関係を管理するコンピュータにおいて、前記電子メール受信手段で、アンテナと識別情報を格納したＩＣチップとを取り付けた携帯電話から、前記配信先の宛先情報と前記識別情報を含んだ電子メールを受信するステップと、前記宛先情報取得手段で、前記受信した電子メールから配信先の宛先情報を取得する宛先情報取得ステップと、前記識別情報取得手段で、前記受信した電子メールから識別情報を取得する識別情報取得ステップと、返信宛先情報送信手段で、前記取得した宛先情報に宛てて、返信先の宛先情報を送信する返信宛先情報送信ステップと、前記返信元宛先情報取得手段で、前記返信先の宛先情報に宛てて返信されてきた返信情報から、当該返信情報の返信元の宛先情報を取得する返信元宛先情報取得ステップと、前記登録手段で、前記宛先情報取得手段で取得した宛先情報のうち、前記返信されてきた宛先情報と一致する前記宛先情報と、当該宛先情報で特定される配信先を識別する識別情報と、を対応させて登録する登録ステップと、ネットワークを介して前記コンピュータと接続されたスキャナが前記アンテナから受信した前記識別情報を、前記スキャナから受信する識別情報受信するステップと、前記受信した識別情報に基づき、当該識別情報と対応させて登録されている宛先情報を特定するステップと、から構成されたことを特徴とする管理方法が提供される。また上記課題を解決するために、本発明の別の観点によれば、電子メール受信手段と、第１の宛先情報取得手段と、第２の宛先情報取得手段と、パスワード送信手段と、パスワード取得手段と、第１の宛先情報特定手段と、再登録手段と、を具備し、情報を配信する際に配信先を特定するために用いる宛先情報と、前記配信先を識別する識別情報との対応関係を管理するコンピュータにおいて、電子メール受信手段で、アンテナと識別情報を格納したＩＣチップとを取り付けた携帯電話から、前記配信先の前記識別情報に対応付けられている第１の宛先情報と前記識別情報に新たに対応付ける第２の宛先情報とを含んだ電子メールを受信するステップと、前記第１の宛先情報取得手段で、前記受信した電子メールから前記第１の宛先情報を取得する第１の宛先情報取得ステップと、前記第２の宛先情報取得手段で、前記受信した電子メールから前記第２の宛先情報を、前記第１の宛先情報に関連付けて取得する第２の宛先情報取得ステップと、前記パスワード送信手段で、前記取得した第２の宛先情報に宛てて、パスワードと当該パスワードの返信先の宛先情報を送信するパスワード送信ステップと、前記パスワード取得手段で、前記返信先の宛先情報に宛てて返信されてきたパスワードを取得するパスワード取得ステップと、前記第１の宛先情報特定手段で、前記取得したパスワードを前記パスワード送信手段で送信する際に用いた、第２の宛先情報を特定し、更に当該第２の宛先情報に関連付けられている前記第１の宛先情報を特定する第１の宛先情報特定ステップと、前記再登録手段で、前記特定された第１の宛先情報と、当該第１の宛先情報に対応付けられている識別情報との対応関係を解除し、当該第１の宛先情報に関連付けられている前記第２の宛先情報を当該識別情報に対応付けて再登録する再登録ステップと、ネットワークを介して前記コンピュータと接続されたスキャナが前記アンテナから受信した前記識別情報を、前記スキャナから受信する識別情報受信するステップと、前記受信した識別情報に基づき、当該識別情報と対応させて登録されている前記第２の宛先情報を特定するステップと、から構成されたことを特徴とする管理方法が提供される。また上記課題を解決するために、本発明の別の観点によれば、電子メール受信手段と、宛先情報取得手段と、パスワード送信手段と、パスワード取得手段と、登録解除手段と、を具備し、情報を配信する際に配信先を特定するために用いる宛先情報と、前記配信先を識別する識別情報との対応関係を管理するコンピュータにおいて、電子メール受信手段で、アンテナと識別情報を格納したＩＣチップとを取り付けた携帯電話から、前記配信先の前記識別情報との対応関係を解除する宛先情報を含んだ電子メールを受信するステップと、前記宛先情報取得手段で、前記受信した電子メールから前記宛先情報を取得する宛先情報取得ステップと、前記パスワード送信手段で、前記取得した宛先情報に宛てて、パスワードと当該パスワードの返信先の宛先情報を送信するパスワード送信ステップと、前記パスワード取得手段で、前記返信先の宛先情報に宛てて返信されてきたパスワードを取得するパスワード取得ステップと、前記登録解除手段で、前記取得したパスワードを前記パスワード送信手段で送信する際に用いた宛先情報と、当該宛先情報で特定される配信先を識別する識別情報との対応関係を解除する登録解除ステップと、から構成されたことを特徴とする管理方法が提供される。また上記課題を解決するために、本発明の別の観点によれば、電子メール受信手段と、宛先情報取得手段と、パスワード送信手段と、パスワード取得手段と、配信手段と、を具備し、ネットワークを介して識別情報を取得し、当該識別情報に対応付けられた宛先情報に宛ててコンテンツを配信するコンピュータにおいて、電子メール受信手段で、アンテナと識別情報を格納したＩＣチップとを取り付けた携帯電話から、情報配信先の宛先情報を含む電子メールを受信するステップと、前記宛先情報取得手段で、前記受信した電子メールから前記情報配信先の宛先情報を取得する宛先情報取得ステップと、前記パスワード送信手段で、前記取得した宛先情報に宛てて、パスワードと当該パスワードの返信先の宛先情報を送信するパスワード送信ステップと、前記パスワード取得手段で、前記返信先の宛先情報に宛てて返信されてきたパスワードを取得するパスワード取得ステップと、前記配信手段で、前記取得したパスワードを前記パスワード送信手段で送信する際に用いた宛先情報に宛ててコンテンツを配信する配信ステップと、から構成されたことを特徴とする情報配信方法が提供される。また上記課題を解決するために、本発明の別の観点によれば、アンテナと識別情報を格納したＩＣチップとを取り付けた携帯電話から、前記配信先の宛先情報と前記識別情報を含んだ電子メールを受信する電子メール受信手段機能と、前記受信した電子メールから前記宛先情報を取得する宛先情報取得機能と、前記受信した電子メールから前記識別情報を取得する識別情報取得機能と、前記取得した宛先情報に宛てて、パスワードと当該パスワードの返信先の宛先情報を送信するパスワード送信機能と、前記返信先の宛先情報に宛てて返信されてきたパスワードを取得するパスワード取得機能と、前記取得したパスワードを前記パスワード送信機能で送信する際に用いた宛先情報と、当該宛先情報で特定される配信先を識別する識別情報と、を対応させて登録する登録機能と、ネットワークを介して接続されたスキャナが前記アンテナから受信した前記識別情報を、前記スキャナから受信する識別情報受信機能と、前記受信した識別情報に基づき、当該識別情報と対応させて登録されている宛先情報を特定する特定機能と、をコンピュータで実現するための管理プログラムが提供される。また上記課題を解決するために、本発明の別の観点によれば、アンテナと識別情報を格納したＩＣチップとを取り付けた携帯電話から、前記配信先の宛先情報と前記識別情報を含んだ電子メールを受信する電子メール受信手段機能と、前記受信した電子メールから前記配信先の宛先情報を取得する宛先情報取得機能と、前記受信した電子メールから識別情報を取得する識別情報取得機能と、前記取得した宛先情報に宛てて、返信先の宛先情報を送信する返信宛先情報送信機能と、前記返信先の宛先情報に宛てて返信されてきた返信情報から、当該返信情報の返信元の宛先情報を取得する返信元宛先情報取得機能と、前記宛先情報取得機能で取得した宛先情報のうち、前記返信されてきた宛先情報と一致する前記宛先情報と、当該宛先情報で特定される配信先を識別する識別情報と、を対応させて登録する登録機能と、ネットワークを介して接続されたスキャナが前記アンテナから受信した前記識別情報を、前記スキャナから受信する識別情報受信機能と、前記受信した識別情報に基づき、当該識別情報と対応させて登録されている宛先情報を特定する特定機能と、をコンピュータで実現するための管理プログラムが提供される。また上記課題を解決するために、本発明の別の観点によれば、アンテナと識別情報を格納したＩＣチップとを取り付けた携帯電話から、前記配信先の前記識別情報に対応付けられている第１の宛先情報と前記識別情報に新たに対応付ける第２の宛先情報とを含んだ電子メールを受信する電子メール受信機能と、前記受信した電子メールから前記第１の宛先情報を取得する第１の宛先情報取得機能と、前記受信した電子メールから前記第２の宛先情報を、前記第１の宛先情報に関連付けて取得する第２の宛先情報取得機能と、前記取得した第２の宛先情報に宛てて、パスワードと当該パスワードの返信先の宛先情報を送信するパスワード送信機能と、前記返信先の宛先情報に宛てて返信されてきたパスワードを取得するパスワード取得機能と、前記取得したパスワードを前記パスワード送信機能で送信する際に用いた、第２の宛先情報を特定し、更に当該第２の宛先情報に関連付けられている前記第１の宛先情報を特定する第１の宛先情報特定機能と、前記特定された第１の宛先情報と、当該第１の宛先情報に対応付けられている識別情報との対応関係を解除し、当該第１の宛先情報に関連付けられている前記第２の宛先情報を当該識別情報に対応付けて再登録する再登録機能と、ネットワークを介して接続されたスキャナが前記アンテナから受信した前記識別情報を、前記スキャナから受信する識別情報受信機能と、前記受信した識別情報に基づき、当該識別情報と対応させて登録されている前記第２の宛先情報を特定する特定機能と、をコンピュータで実現するための管理プログラムが提供される。また上記課題を解決するために、本発明の別の観点によれば、アンテナと識別情報を格納したＩＣチップとを取り付けた携帯電話から、識別情報との対応関係を解除する宛先情報を含んだ電子メールを受信する電子メール受信機能と、前記受信した電子メールから前記識別情報との対応関係を解除する宛先情報を取得する宛先情報取得機能と、前記取得した宛先情報に宛てて、パスワードと当該パスワードの返信先の宛先情報を送信するパスワード送信機能と、前記返信先の宛先情報に宛てて返信されてきたパスワードを取得するパスワード取得機能と、前記取得したパスワードを前記パスワード送信機能で送信する際に用いた宛先情報と、当該宛先情報で特定される配信先を識別する識別情報との対応関係を解除する登録解除機能と、をコンピュータで実現するための管理プログラムが提供される。また上記課題を解決するために、本発明の別の観点によれば、アンテナと識別情報を格納したＩＣチップとを取り付けた携帯電話から、情報配信先の宛先情報を含んだ電子メールを受信する電子メール受信機能と、前記受信した電子メールから前記情報配信先の宛先情報を取得する宛先情報取得機能と、前記取得した宛先情報に宛てて、パスワードと当該パスワードの返信先の宛先情報を送信するパスワード送信機能と、前記返信先の宛先情報に宛てて返信されてきたパスワードを取得するパスワード取得機能と、前記取得したパスワードを前記パスワード送信機能で送信する際に用いた宛先情報に宛ててコンテンツを配信する配信機能と、をコンピュータで実現するための情報配信プログラムが提供される。また上記課題を解決するために、本発明の別の観点によれば、上記管理プログラムおよび情報配信プログラムを記憶した記憶媒体も提供される。
【００１２】
【発明の実施の形態】
以下、本発明の好適な実施の形態について、図１から図１３を参照して詳細に説明する。
［実施形態の概要］
ユーザはＩＣチップを入手した際に、当該ＩＣチップを取り付ける携帯電話にて当該ＩＣチップのチップＩＤを本文とする電子メールを作成し、これを情報配信サーバに送信する。
情報配信サーバは、携帯電話からこの電子メールを受信すると、ワンタイムパスワードを発行し、このワンタイムパスワードと所定のＵＲＬ（ＵｎｉｆｏｒｍＲｅｓｏｕｒｃｅ  Ｌｏｃａｔｏｒｓ）を含む電子メールを送信元の携帯電話に送信する。
【００１３】
ユーザは、情報配信サーバから電子メールを受信すると、当該電子メールで提示されているＵＲＬをクリックし、ワンタイムパスワードなどを情報配信サーバに送信する。
情報配信サーバは、携帯電話からワンタイムパスワードなどを受信すると、ワンタイムパスワードやチップＩＤが適正か、あるいは当該メールアドレスが既に登録されていないかなど一連の確認を実行した後、チップＩＤとメールアドレスを対応付けて登録する。
【００１４】
以上のように、ユーザ側が行う処理は、チップＩＤを電子メールで送信することと、情報配信サーバから送信されてきたＵＲＬをクリックすることであり、登録手続は非常に単純である。
しかも、電子メールの発信元である携帯電話に登録用の電子メールを送信するため、登録しようとしている者が本人であることを確認することができる。更に、ワンタイムパスワードを発行することにより、更にセキュリティを高めることができる。
【００１５】
［実施形態の詳細］
以下に図１〜図１３を用いて、本実施の形態の情報配信システムについて説明する。
図１は、本実施の形態の情報配信システムの構成の１例を示した図である。
情報配信システム１は、携帯電話２、ＩＣチップ５、スキャナ７、ネットワーク８、基地局１５などから構成されている。
これらのうち、情報配信サーバ１０、基地局１５、スキャナ７は、ネットワーク８によって通信可能となっており、基地局１５と携帯電話２、及びスキャナ７とＩＣチップ５は、それぞれ無線により通信可能となっている。
【００１６】
携帯電話２は、インターネットに接続が可能な携帯電話であって、通常の音声通話を行う通話モードの他に、インターネット上のＷｅｂサイトにアクセスしてＷｅｂページを閲覧したり、電子メールの作成・送信及び受信を行うインターネットモードを備えている。
【００１７】
携帯電話２は、固有のメールアドレスを有しており、このメールアドレスを指定することにより、ネットワーク８上のサーバ装置やクライアント端末装置などから携帯電話２に電子メールを送信することができる。
通話モード、インターネットモードの何れのモードの場合でも、携帯電話２は、基地局１５と無線通信することによりネットワーク８にアクセスする。
【００１８】
基地局１５は、セルと呼ばれる１基地のエリア内にある携帯電話２と無線通信する。基地局１５は、同一エリア内にある複数の携帯電話２と同時に通信回線を確立することができる。
基地局１５は、携帯電話２を通常の公衆回線に接続し、ユーザに音声通話によるサービスを提供する他、携帯電話２をインターネットに接続し、携帯電話２からネット上のＷｅｂサーバやメールサーバなどが提供するサービスを利用するようにすることもできる。
【００１９】
携帯電話は２には、ＩＣチップ５が埋め込まれたストラップ６が取り付けられている。これは、ＩＣチップ５を用いたサービスを提供しようとする事業者がＩＣチップ５を埋め込んだストラップ６を配布し、これをユーザが自分の携帯電話２に取り付けたりなどしたものである。
ＩＣチップ５は、印刷技術などを用いて生成した小型のアンテナを有しており、スキャナ７から発せられる電波によってこのアンテナに誘導起電力を生じることができる。そしてＩＣチップはこの誘導起電力によって駆動される。
ＩＣチップ５には、固有のＩＤであるチップＩＤが割り当てられている。そしてＩＣチップ５は駆動されると、このチップＩＤをスキャナ７に送信するようになっている。
【００２０】
スキャナ７は、ＩＣチップ５からチップＩＤを受信し、これを情報配信サーバ１０に送信する装置である。
スキャナ７は、ＩＣチップ５と無線通信を行うためのアンテナを備えている。このアンテナからは常時電波が放出されており、ユーザがＩＣチップ５をこのアンテナにかざすなどして近づけると、スキャナ７が放射している電波によってＩＣチップ５を駆動することができる。一般に、ＩＣチップ５とスキャナ７との距離が１０ｃｍ以下程度になると、ＩＣチップ５がスキャナ７にチップＩＤを送信するようになっている。
【００２１】
スキャナ７はネットワーク８に接続可能となっており、ＩＣチップ５からチップＩＤを受信するとこれをネットワーク８経由で情報配信サーバ１０に送信する。
なお、図１ではスキャナ７は１つしか描かれていないが、これは複数存在し、例えば、看板ごとや商店の店先などに設置されている。そのため、スキャナ７は、それぞれを識別するためのスキャナＩＤを備えている。
スキャナ７は、チップＩＤを送信する際にスキャナＩＤも送信し、情報配信サーバ１０がチップＩＤを送信してきたスキャナ７を特定できるようになっている。
【００２２】
情報配信サーバ１０は、スキャナ７からチップＩＤを受信し、コンテンツを電子メールで携帯電話２に送信するサーバ装置である。
情報配信サーバ１０は、携帯電話２のメールアドレスとＩＣチップ５のチップＩＤを対応付けたデータを保有しており、スキャナ７からチップＩＤを受信した場合、このチップＩＤに対応する携帯電話２の電子メールアドレスを特定することができる。
メールアドレスとチップＩＤを対応させる処理は紐付けなどと呼ばれ、本実施の形態では、ユーザが携帯電話２から情報配信サーバ１０にアクセスすることにより、情報配信サーバ１０側で自動的に行えるようになっている。この登録処理については後程詳細に説明する。
【００２３】
ネットワーク８は、例えば、公衆回線網、携帯電話回線網、光通信網や通信衛星を介した通信網などの通信網から構成されている。
ネットワーク８は、電話間の通話やファックスの送受信を媒介する他、携帯電話２などの端末装置に対してＷｅｂサイトへのアクセスや電子メールの送受信を媒介するインターネットとしての機能も提供する。
【００２４】
なお、以下に、情報配信サーバ１０において、チップＩＤとメールアドレスの紐付けに関する処理について説明するが、この処理は、情報配信サーバ１０と携帯電話２のインターネットを介した通信（電子メールの送受信及び情報配信サーバ１０が開設するＷｅｂサイトへのアクセス）を用いて行われる。
そのため、本実施の形態の紐付けに関する処理に関しては、スキャナ７とＩＣチップ５は使用する必要がない。
【００２５】
図２は、携帯電話２の外観を示した図である。携帯電話２は、各種情報を表示する表示部２２、各種文字データなどを入力する際に使用する各種キー２４、基地局１５と無線通信するためのアンテナ２１などの他、インターネットにアクセスするための専用キー２３や、電子メールなどの文書を作成編集する際に使用するカーソルキー２５などを備えている。
【００２６】
表示部２２は、液晶など表示装置によって構成されており、Ｗｅｂページや電子メールなどの画面データや文字データなどを表示することができる。
また、ユーザは、表示部２２を見ながら電子メールを作成したり編集したりすることもできる。
また、詳細は後述するが、ユーザがチップＩＤを情報配信サーバ１０に登録する際に、電子メールを作成したり、情報配信サーバ１０と電子メールを送受信を行ったり、あるいは、情報配信サーバ１０のチップ管理サイトにアクセスしたりなどするが、その際の、作成中の電子メール、情報配信サーバ１０から受信した電子メールやＷｅｂページなどは表示部２２に表示される。
【００２７】
各種キー２４は、携帯電話２に数字や文字あるいは記号などを入力するためのものである。電子メールを作成する場合は、各種キー２４を用いて本文や送信先メールアドレスを入力することができる。
また、Ｗｅｂサイトにアクセスする場合は、各種キー２４を用いてＵＲＬを入力することができる。
各種キー２４で入力した文字や数字、記号などは、表示部２２に表示され、ユーザはこれを確認することができる他、文字の削除や挿入などの編集作業も行うことができる。
【００２８】
専用キー２３は、主に携帯電話２をインターネットに接続する際に使用するキーである。
専用キー２３は、親指などによって上下方向に傾けることができる他、押し下げることもできるようになっている。ユーザは、専用キー２３を上下方向に操作することにより表示部２２に表示された選択項目を選択することができ、専用キー２３を押し下げることにより、選択した項目を確定することができる。項目が確定されると、携帯電話２は、選択された項目に対応する機能を発揮する。
【００２９】
図２では、携帯電話２が提供する各種機能を選択する選択画面が表示されている。このうち、「２．メール」を選択すると携帯電話２が電子メールモードとなり、電子メールの作成や情報配信サーバ１０との電子メールの送受信を行うことができる。また、「５．インターネット」を選択すると、携帯電話２がＷｅｂモードになり、情報配信サーバ１０のチップ管理サイトにアクセスすることができる。
【００３０】
図３（ａ）は、情報配信サーバ１０の構成の１例を示した図である。
情報配信サーバ１０は、制御部５１、入力装置５５、出力装置５６、通信制御装置５７、記憶装置５８、記憶媒体駆動装置６１、入出力インターフェース６２などがバスライン６３を介して接続されて構成されている。
【００３１】
制御部５１は、ＣＰＵ５３、ＲＯＭ（Ｒｅａｄ  Ｏｎｌｙ  Ｍｅｍｏｒｙ）５２、ＲＡＭ（Ｒａｎｄｏｍ  Ａｃｃｅｓｓ  Ｍｅｍｏｒｙ）５４などから構成されており、所定のプログラムにしたがって各種情報処理を行う他、情報配信サーバ１０全体を制御する。
より詳細には、制御部５１は、記憶装置５８に格納されているチップ管理プログラムに従ってＩＣチップの登録・更新・削除などのＩＣチップ管理処理を行ったり、あるいは情報配信プログラムに従って、携帯電話にコンテンツを配信したりする。
【００３２】
ＲＯＭ５２は、ＣＰＵ５３が各種演算や制御を行うための各種プログラム、データ及びパラメータなどを格納したリードオンリーメモリである。ＣＰＵ５３は、ＲＯＭ５２からプログラムやデータ、パラメータなどを読込むことができる。
【００３３】
ＲＡＭ５４は、ＣＰＵ５３にワーキングメモリとして使用されるランダムアクセスメモリである。ＣＰＵ５３は、ＲＡＭ５４にプログラムやデータなどを書込んだり消去したりすることができる。本実施の形態では、ＲＡＭ５４には、チップ管理処理を行ったり、コンテンツを配信するためのエリアの確保が可能となっている。
【００３４】
入力装置５５は、例えばキーボードやマウスなどの入力デバイスから構成されている。
出力装置５６は、例えば、ディスプレイ装置などの表示装置やプリンタなどの印刷装置である。
これら入力装置や出力装置は、例えば、システムの管理者などが登録されているユーザのデータを閲覧したり、装備しているプログラムをアップグレードしたりなど、情報配信サーバ１０を操作する際に使用する。
【００３５】
通信制御装置５７は、情報配信サーバ１０をインターネットやＬＡＮ（Ｌｏｃａｌ  Ａｒｅａ  Ｎｅｔｗｏｒｋ）などのネットワークに接続するための装置であって、モデム、ターミナルアダプタその他の接続装置によって構成されている。
通信制御装置５７はＣＰＵ５３によって制御され、例えばＴＣＰ／ＩＰ（Ｔｒａｎｓｍｉｓｓｉｏｎ  Ｃｏｎｔｒｏｌ  Ｐｒｏｔｏｃｌ／Ｉｎｔｅｒｎｅｔ  Ｐｒｏｔｏｃｌ）などの所定のプロトコルに従ってネットワーク上のサーバ装置や端末装置などとデータの送受信を行うことができる。
通信制御装置５７は、スキャナ７と通信したり、携帯電話２と電子メールの送受信を行ったり、あるいは携帯電話２にＷｅｂページを送信したりなどする。
【００３６】
記憶装置５８は、読書き可能な記憶媒体と、その記憶媒体に対してプログラムやデータを読書きするための駆動装置によって構成されている。当該記憶媒体として主にハードディスクが使用されるが、その他に、例えば、光磁気ディスク、磁気ディスク、半導体メモリなどの他の読書き可能な記憶媒体によって構成することも可能である。
記憶装置５８は、各種プログラムを格納したプログラム格納部５９、各種データを格納したデータベース格納部６０などから構成されている。
【００３７】
記憶媒体駆動装置６１は、着脱可能な記憶媒体を駆動してＣＰＵ５３がデータの読書きを行うための駆動装置である。着脱可能な記憶媒体としては、例えば、光磁気ディスク、磁気ディスク、磁気テープ、半導体メモリ、データをパンチした紙テープ、ＣＤ−ＲＯＭなどがある。なお、ＣＤ−ＲＯＭや紙テープは、読込みのみ可能である。
【００３８】
入出力インターフェース６２は、例えば、シリアルインターフェースやその他の規格のインターフェースにより構成されている。入出力インターフェース６２に当該インターフェースに対応した外部機器を接続することにより、情報配信サーバ１０の機能を拡張することができる。このような外部機器として例えば、ハードディスクなどの記憶装置、スピーカ、マイクロフォンなどがある。
【００３９】
図３（ｂ）は、プログラム格納部５９に格納されているプログラムの１例を示した図である。
チップ管理プログラム６５は、チップＩＤとメールアドレスの対応を管理するためのプログラムであり、ＩＣチップの登録、再登録、削除などを行う機能をＣＰＵ５３に発揮させる。
ここで、ＩＣチップの登録とは、ユーザが新規にＩＣチップを入手した場合に、当該ＩＣチップと携帯電話のメールアドレスを紐付けする処理のことであり、再登録とは、ユーザが携帯電話を買い換えるなどして、チップＩＤに紐付けされているメールアドレスを変更する場合であり、ＩＣチップの削除とは、ユーザがＩＣチップを廃棄する際などに、当該ＩＣチップのチップＩＤとメールアドレスとの紐付けを解除することである。
【００４０】
情報配信プログラム６６は、スキャナ７から受信したチップＩＤに紐付けされているメールアドレスに対して所定のコンテンツを送信するプログラムである。
プログラム格納部５９には、これらのプログラムの他に、ファイル管理など、情報配信サーバ１０の基本的な機能を実現するＯＳ（Ｏｐｅｒａｔｉｎｇ  Ｓｙｓｔｅｍ）や、通信制御装置５７を機能させる通信制御プログラム、その他のプログラムが格納されている。
【００４１】
図３（ｃ）は、データベース格納部６０に格納されている各種データの１例を示した図である。
データベース６０には、ユーザマスタ７０、チップリスト７１、コンテンツ７２、その他のデータが格納されている。
【００４２】
ユーザマスタ７０には、チップＩＤを登録したユーザのメールアドレスなど、登録ユーザに関する情報が格納されている。
チップリスト７１には、チップＩＤが格納されている。チップリスト７１に格納されているチップＩＤには、既に携帯電話２のメールアドレスに紐付けされたＩＣチップのチップＩＤを含め、まだ紐付けされていないＩＣチップのチップＩＤも登録されている。
コンテンツ７２には、携帯電話２に配信する各コンテンツが格納されている。
【００４３】
図４は、ユーザマスタ７０とチップリスト７１との関係を説明するための図である。
ユーザマスタ７０に格納されている各メールアドレスと、チップリスト７１に格納されているチップＩＤは、対応するものが紐付けされており、リレーショナルデータベースを構成している。
例えば、図中、メールアドレス８１は、チップＩＤ８３と紐付けされているが、チップＩＤ８２は未だメールアドレスに紐付けされていない。
【００４４】
ＣＰＵ５３は、スキャナ７からチップＩＤを受信した場合、チップリスト７１で当該チップＩＤを検索し、次いで、このチップＩＤに紐付けされているメールアドレスをユーザマスタ７０から取得する。
このようにして、ＣＰＵ５３は、コンテンツを送信する送信先のメールアドレスを取得することができる。
例えば、スキャナ７でチップＩＤ８３が検出された場合、ＣＰＵ５３は、メールアドレス８１にコンテンツを送信する。
【００４５】
次に、以上のように構成された情報配信サーバ１０で、（１）ＩＣチップを登録する場合、（２）登録済みのＩＣチップを再登録する場合、（３）登録済みのＩＣチップを削除する場合の各場合について、フローチャートを用いながら説明する。
なお、これらの機能は、ＣＰＵ５３がチップ管理プログラム６５に従って動作することにより実現するものである。
【００４６】
（１）ＩＣチップを登録する場合。
この場合は、ユーザが未使用のＩＣチップ５を入手し、このＩＣチップ５のチップＩＤを、これを取り付ける携帯電話２のメールアドレスと共に情報配信サーバ１０に登録する場合である。
この登録手順は、情報配信サーバ１０が電子メールを用いて携帯電話２にワンタイムパスワードを発行する登録申込発行手順と、Ｗｅｂサイトを用いて情報配信サーバ１０が携帯電話２からワンタイムパスワードを受信してこれを確認し、チップＩＤを登録する登録手順に大別することができる。
【００４７】
図５は、登録申込手順を説明するためのフローチャートである。
まず、ユーザは、携帯電話２を電子メールモードにする。そしてＩＣチップ５に添付されているチップＩＤをメール本文として入力し、登録申込用電子メールを作成する。そして、この登録申込用電子メールを予め指定されている所定のメールアドレス（情報配信サーバ１０宛てのメールアドレス）に送信する（ステップ５）。
【００４８】
次に、情報配信サーバ１０は、登録申込用電子メールを受信する（ステップ２０）。
この場合、登録申込用電子メールは、携帯電話２の宛先情報であるメールアドレスと、携帯電話２を識別する識別情報であるチップＩＤを含んでおり、情報処理サーバ１０のＣＰＵ５３は、宛先情報取得手段と、識別情報取得手段と、を構成している。
【００４９】
ＣＰＵ５３は、受信した電子メールの本文がチップＩＤであるか否かを確認する（ステップ２５）。チップＩＤは例えば１２桁の数字から構成されている。そして、ユーザが本文にチップＩＤ以外の文字などを入力した場合も、入力文からチップＩＤを抽出することができるようになっている。
ＣＰＵ５３は、抽出したチップＩＤをＲＡＭ５４などに一時的に記憶する。
【００５０】
なお、ＣＰＵ５３は、本文がチップＩＤであった場合は、ＩＣチップ登録処理を行い、本文がメールアドレスであった場合は、ＩＣチップ再登録処理を行い、更に、本文が未入力であった場合は、ＩＣチップ削除処理を行う。このように、情報配信サーバ１０は、電子メールの本文により処理内容を選択するようになっている。
【００５１】
一般に、電子メールには送信元のメールアドレスが付随している。そこで、ＣＰＵ５３は、受信した登録申込用電子メールの送信元のメールアドレスを抽出する。
そして、ＣＰＵ５３は、抽出したメールアドレスが既にユーザマスタ７０に登録されているか否かを確認し、登録されていない場合はこれを仮登録する（ステップ３０）。
また、図示しないが、抽出したメールアドレスが既に登録されている場合は、電子メールにてエラーメッセージをユーザに対して発送する。
これは、１つのメールアドレスに対し、チップＩＤが二重登録されるのを防ぐためである。
【００５２】
次に、ＣＰＵ５３は、ワンタイムパスワードを発行する（ステップ３５）。このワンタイムパスワードは、例えば、発行後１２時間有効であるといったように有効期限があり、しかも一度きりの使い捨てパスワードである。
後述するように、ワンタイムパスワードの発行によりなりすまし防止など、セキュリティを高めることができる。
なお、ＣＰＵ５３は、後程ユーザから返送されてくるワンタイムパスワードを照合するために、当該ワンタイムパスワードをＲＡＭ５４などに一時的に記憶する。
【００５３】
次に、ＣＰＵ５３は、登録用電子メールを生成し、これを先に抽出したメールアドレス、即ち発信元の携帯電話２に送信する（ステップ４０）。この電子メールには、ワンタイムパスワードの他、ワンタイムパスワードの返信先であるチップ管理サイトのＵＲＬが含まれている。
次に、携帯電話２は、電子メールを受信する（ステップ１０）。
登録用電子メールは、ワンタイムパスワードと、ワンタイムパスワードの返信先の宛先情報であるＵＲＬを含んでおり、この場合、ＣＰＵ５３はパスワード送信手段を構成している。
【００５４】
図７（ａ）は、携帯電話２の表示部２２に表示された登録用電子メールの１例を示した図である。
登録用電子メールには、有効期限８０、チップ管理サイトのＵＲＬ８１、ワンタイムパスワード８２が表示される。
有効期限８０は、ワンタイムパスワード８２の有効期限を示している。この期限までにワンタイムパスワード８２をチップ管理サイトに送信しないと、ＩＣチップ５の登録は無効となり、再度、登録申込用電子メールを作成しなければならない。
【００５５】
ユーザは専用キー２３（図２）を操作してクリックするなどしてＵＲＬ８１を選択することができる。
すると、ＵＲＬ８１が選択されると携帯電話２は自動的にＷｅｂモードになってチップ管理サイトにアクセスし、ワンタイムパスワード８２を送信するようになっている。
【００５６】
図６は、ＩＣチップの登録手順を説明するためのフローチャートである。
まず、ユーザは、携帯電話２を用いて受信した登録用メール中のＵＲＬ８１を選択し、ワンタイムパスワード８２を情報配信サーバ１０に送信する（ステップ５０）。
情報配信サーバ１０側では、ＣＰＵ５３がこのワンタイムパスワード８２を取得する。
この場合、ＣＰＵ５３は、ワンタイムパスワードを取得するパスワード取得手段を構成している。
【００５７】
そして、ＣＰＵ５３は、受信したワンタイムパスワードで、ＲＡＭ５４などに一時的に記憶してある発行済みのワンタイムパスワードを検索し、一致するものがあるか否かを確認する。
一致するものがあった場合、更に、有効期限を確認し、受信したワンタイムパスワード８２が妥当なものであるか否かを確認する（ステップ６０）。
【００５８】
ワンタイムパスワード８２が妥当でない場合（ステップ６０；Ｎ）、ＣＰＵ５３は、登録エラー画面データを携帯電話２に送信し（ステップ９０）、ユーザマスタ７０から仮登録してある当該メールアドレスを削除する（ステップ９５）。
ワンタイムパスワード８２が妥当であった場合（ステップ６０；Ｙ）、ＣＰＵ５３は、ＲＡＭ５４などに一時的に記憶しておいた、チップＩＤ（登録申込用電子メールの本文に記載されていたもの）を読出し、チップＩＤの桁数や、チップＩＤがチップリスト７１に登録されているか否かなどをチェックし、登録しようといているＩＣチップ５が正当なＩＣチップか否かを確認する（ステップ６５）。
【００５９】
正当なＩＣチップでない場合（ステップ６５；Ｎ）、ＣＰＵ５３は、登録エラー画面データを携帯電話２に送信し（ステップ９０）、ユーザマスタ７０から仮登録してある当該メールアドレスを削除する（ステップ９５）。
正当なＩＣチップであった場合（ステップ６５；Ｙ）、ＣＰＵ５３は、当該チップＩＤが未使用か否かを確認する（ステップ７０）。
これは、ＣＰＵ５３がチップリスト７１で当該チップＩＤを検索し、当該チップＩＤに既に紐付けされたメールアドレスがあるか否かを確認することにより行われる。
この確認により、例えば、ユーザが落としたＩＣチップ５を拾った者が登録する場合などを防止することができる。
【００６０】
ＩＣチップ５が未使用でなかった場合（ステップ７０；Ｎ）、ＣＰＵ５３は、登録エラー画面データを携帯電話２に送信し（ステップ９０）、ユーザマスタ７０から仮登録してある当該メールアドレスを削除する（ステップ９５）。
ＩＣチップ５が未使用であった場合（ステップ７０；Ｙ）、ＣＰＵ５３は、更に当該メールアドレスに他のＩＣチップが紐付けされていないか否か確認する。
【００６１】
当該メールアドレスに既にチップＩＤが紐付けされている場合（ステップ７５；Ｎ）、ＣＰＵ５３は、登録エラー画面データを携帯電話２に送信し（ステップ９０）、ユーザマスタ７０から仮登録してある当該メールアドレスを削除する（ステップ９５）。
当該メールアドレスにまだチップＩＤが紐付けされていない場合（ステップ７５；Ｙ）、当該メールアドレスを本登録すると共に、当該メールアドレスと当該チップＩＤを紐付けすることによりＩＣチップ５を登録する（ステップ８０）。
この場合、ＣＰＵ５３は、ワンタイムパスワードを送信した送信先のメールアドレスと、このメールアドレスで特定されるチップＩＤを対応させて登録する登録手段を構成している。
【００６２】
次に、ＣＰＵ５３は、登録完了画面データを携帯電話２に送信する（ステップ８５）。
携帯電話２は、登録エラー画面データ又は登録完了画面データを受信してこれを表示部２２に表示する（ステップ５５）。
【００６３】
図７（ｂ）は、携帯電話２が登録エラー画面データを用いて表示した登録エラー画面の１例を示した図である。この画面は例えばＨＴＭＬ（Ｈｙｐｅｒｔｅｘｔ  Ｍａｒｋｕｐ  Ｌａｎｇｕａｇｅ）により記述されている。
図に示したように、エラー画面には、ＩＣチップ５が登録できなかった理由が列挙される。本実施の形態では、これらのうち、どの項目が原因でエラーが生じたかまではユーザに通知しないが、例えば「チップＩＤが既に登録されているため登録できませんでした」などと、エラーの原因を特定するように表示することも可能である。
【００６４】
図７（ｃ）は、携帯電話２が登録完了画面データを用いて表示した登録完了画面の１例を示した図である。
登録完了画面データには、登録したチップＩＤが含まれており、登録完了画面には登録が完了した旨とチップＩＤが表示される。
ユーザは、登録完了画面に表示されたチップＩＤを確認することにより、確かに自分のＩＣチップ５が登録されたか否かを確認することができる．
【００６５】
以上のように、登録申込用電子メールの送信元（携帯電話２）のメールアドレスにワンタイムパスワードを送信する方式を採用すると以下の理由によりセキュリティが高まる。
専門知識を持つ者にとって、電子メールの送信元を変造した電子メールを作成することは可能である。そのため、情報配信サーバ１０が、携帯電話から登録申込用電子メールを受信した場合、一旦送信元のメールアドレスに確認用の電子メールを送信して更に返信してもらうことにより、確かに、その携帯電話から登録申込用電子メールが送信されたか否かを当該携帯電話の持ち主に確認することができる。
【００６６】
また、ワンタイムパスワードを発行して当該携帯電話に送信することにより、更に返信が偽造されていないかどうかを確認することができる。即ち、返信用のワンタイムパスワードは、登録申込用電子メールの送信元である携帯電話にしか送信されないため、他の携帯電話などから当該携帯電話を装って返信することが不可能となるからである。
【００６７】
また、登録するＩＣチップが既に登録されていないかどうか確認するため、例えばＩＣチップ５を落として他の人に登録されたり、あるいは盗難されたＩＣチップが登録される危険を低減することができる。
【００６８】
なお、本実施の形態では、前半の登録申込手順を電子メールを用いて行い、後半の登録手順をＷｅｂサイトを用いて行ったが、これに限定するものではなく、例えば、全ての手順を電子メールで行うこともできる。
この場合、まず、情報配信サーバ１０は、チップＩＤを本文とした登録申込用電子メールを携帯電話２から受信して、送信元のメールアドレスを抽出する。
この場合、ＣＰＵ５３は、宛先情報取得手段（メールアドレスの取得）と識別情報取得手段（チップＩＤの取得）を構成している。
【００６９】
情報配信サーバ１０は、登録申込用電子メールの発信元に返信先のメールアドレスを添付した確認用電子メールを送信する。携帯電話２では、これを受信した後、送られてきた返信先のメールアドレスに宛てて返信する。
この場合、ＣＰＵ５３は、返信宛先情報（返信先のメールアドレス）送信手段を構成している。
情報配信サーバ１０は、返信されてきた電子メールのメールアドレスを抽出し、これと確認用電子メールの送信先と一致するものがあった場合、当該メールアドレスとチップＩＤを対応付けて登録する。
この場合、ＣＰＵ５３は、返信元宛先情報（返信されてきた電子メールのメールアドレス）取得手段と、登録手段を構成している。
この登録方法は、ワンタイムパスワードを用いる場合よりもセキュリティは低下するが、申込元の携帯電話に確認用の電子メールを送信するため、なりすましの可能性を低減することができる。
【００７０】
次に、（２）の登録済みのＩＣチップを再登録する場合について説明する。この場合は、例えば、ユーザが新しい携帯電話を購入して今まで使用していたＩＣチップを付け替える場合などが該当する。この場合にもワンタイムパスワードを発行するなどしてセキュリティを高める。
また、再登録を行う手順は、電子メールを用いた再登録申込手順とＷｅｂサイトを用いた再登録手順の２つから構成されている。
【００７１】
図８は、再登録申込手順を説明するためのフローチャートである。
まず、ユーザは、携帯電話２を電子メールモードにし、旧メールアドレスをメール本文として入力する。そして、この再登録申込用電子メールを予め指定されている所定のメールアドレスに送信する（ステップ１０５）。
【００７２】
次に、情報配信サーバ１０が、この再登録申込用電子メールを受信する（ステップ１２０）。
この場合、ＣＰＵ５３は、第１の宛先情報（旧メールアドレス）取得手段と、第２の宛先情報（新メールアドレス）取得手段とを構成し、両者は同一の再登録申込電子メールにて受信することにより関連付けられる。
【００７３】
ＣＰＵ５３は、受信した再登録申込用電子メールの本文がメールアドレスであるか否かを確認して抽出する（ステップ１２５）。メールアドレスは、通常アットマーク記号を含む英数字などで表現されるため、ＣＰＵ５３はこのような特徴からメールアドレスを特定して抽出する。
ＣＰＵ５３は、抽出した旧メールアドレスをＲＡＭ５４などに一時的に記憶する。
【００７４】
次に、ＣＰＵ５３は、再登録申込用電子メールから送信元のメールアドレスを抽出する。このメールアドレスが再登録する際の新メールアドレスとなる。
そして、ＣＰＵ５３は、抽出した新メールアドレスが既にユーザマスタ７０に登録されているか否かを確認し、登録されていない場合はこれを仮登録する（ステップ１３０）。また、図示しないが、抽出した新メールアドレスが既に登録されている場合は、電子メールにてユーザにエラーメッセージを発送する。
これは、１つのメールアドレスに対し、チップＩＤが二重登録されるのを防ぐためである。
【００７５】
次に、ＣＰＵ５３は、ワンタイムパスワードを発行する（ステップ１３５）。このワンタイムパスワードは、ＩＣチップ登録の際のものと同様のものである。
なお、ＣＰＵ５３は、後程、ユーザから送られてくるワンタイムパスワードと照合するために当該ワンタイムパスワードをＲＡＭ５４などに一時的に記憶しておく。
【００７６】
次に、ＣＰＵ５３は、再登録用電子メールを生成し、これを携帯電話２に送信する（ステップ１４０）。再登録用電子メールには、ワンタイムパスワードやワンタイムパスワードの返信先であるチップ管理サイトのＵＲＬが含まれている。
この場合、ＣＰＵ５３は、パスワードと当該パスワードの返信先情報を送信するパスワード送信手段を構成している。
次に、携帯電話２は、再登録用電子メールを受信する（ステップ１１０）。
【００７７】
図１０（ａ）は、携帯電話２の表示部２２に表示された再登録用電子メールの１例を示した図である。
再登録用電子メールには、有効期限１８０、チップ管理サイトのＵＲＬ１８１、ワンタイムパスワード１８２が表示される。
【００７８】
ユーザは専用キー２３（図２）を操作してクリックするなどしてＵＲＬ１８１を選択することができる。
そして、ＵＲＬ１８１が選択されると携帯電話２は自動的にＷｅｂモードになってチップ管理サイトにアクセスし、ワンタイムパスワード１８２を送信するようになっている。
【００７９】
図９は、再登録手順を説明するためのフローチャートである。
まず、ユーザは、携帯電話２を用いて受信した再登録用電子メール中のＵＲＬ１８１を選択し、ワンタイムパスワード１８２を情報配信サーバ１０に送信する（ステップ１５０）。
情報配信サーバ１０側では、ＣＰＵ５３がこのワンタイムパスワード１８２を取得する。この場合、ＣＰＵ５３は、パスワード取得手段を構成している。
そして、ＣＰＵ５３は、このワンタイムパスワード１８２を用いてＲＡＭ５４などに一時的に記憶してある発行済みのワンタイムパスワードを検索し、一致するものがあるか否かを確認する。
【００８０】
一致するものがあった場合は、ＣＰＵ５３は、そのワンタイムパスワードを送信する際に使用した新メールアドレスを特定する。更に新メールアドレスから旧メールアドレスをも特定する（再登録申込用電子メールのデータから可能である）。
この場合、ＣＰＵ５３は、第１の宛先情報（旧メールアドレス）特定手段を構成している。
更に、ＣＰＵ５３は、ワンタイムパスワードの有効期限を確認し、受信したワンタイムパスワード１８２が妥当なものであるか否かを確認する（ステップ１６０）。
【００８１】
ワンタイムパスワード１８２が妥当でない場合（ステップ１６０；Ｎ）、ＣＰＵ５３は、再登録エラー画面データを携帯電話２に送信し（ステップ１９０）、ユーザマスタ７０から仮登録してある新メールアドレスを削除する（ステップ１９５）。
ワンタイムパスワード１８２が妥当であった場合（ステップ１６０；Ｙ）、ＣＰＵ５３は、ユーザマスタ７０で、先に特定した新メールアドレスを検索し、新メールアドレスに既にチップＩＤが紐付けされていないかどうか確認する（ステップ１６５）。
【００８２】
新メールアドレスに既にチップＩＤが紐付けされている場合（ステップ１６５；Ｎ）、ＣＰＵ５３は、再登録エラー画面データを携帯電話２に送信し（ステップ１９０）、仮登録した新メールアドレスをユーザマスタ７０から削除する（ステップ１９５）。
新メールアドレスに未だチップＩＤが紐付けされていない場合（ステップ１６５；Ｙ）、ＣＰＵ５３は、更に、旧メールアドレスにチップＩＤが紐付けされているか否かを確認する（ステップ１７０）。
これは、ＣＰＵ５３がチップリスト７１で旧メールアドレスを検索し、チップＩＤが旧メールアドレスに紐付けされていることを確認することにより行われる。
旧メールアドレスにチップＩＤが紐付けされていない場合（ステップ１７０；Ｎ）、ＣＰＵ５３は、再登録エラー画面データを携帯電話２に送信し（ステップ１９０）、仮登録してある新メールアドレスをユーザマスタ７０から削除する（ステップ１９５）。
旧メールアドレスにチップＩＤが紐付けされていた場合（ステップ１７０；Ｙ）、ＣＰＵ５３は、旧メールアドレスとチップＩＤとの紐付けを解除し、旧メールアドレスをユーザマスタ７０から削除する（ステップ１７５）。
この場合、ＣＰＵ５３は、再登録手段を構成している。
【００８３】
また、実際にこのＩＣチップ５を運用する場合、店先にスキャナ７を設置し、ユーザが店で買物をした際にスキャナ７にＩＣチップ５をかざして、サービス用のスタンプを発行するなど、メールアドレスに関連付けられた他の関連データが存在する場合がある。また、メールアドレスに性別や年齢などのユーザの属性を付随させる場合もある。
このように、旧メールアドレスに関連付けられたスタンプやスタンプの有効期間、ユーザの属性などの関連データが存在する場合、ＣＰＵ５３は旧メールアドレスと関連データとの関連付けを解除する。
【００８４】
次に、ＣＰＵ５３は、新メールアドレスにステップ１７５にて関連付けを解除したチップＩＤを紐付けする（ステップ１８０）。更に、旧メールアドレスとの関連付けを解除した関連データがある場合、これを新メールアドレスに関連付ける。
次に、ＣＰＵ５３は、再登録完了画面データを携帯電話２に送信する（ステップ１８５）。
そして、携帯電話２は、再登録エラー画面データ又は再登録完了画面データを受信してこれを表示部２２に表示する（ステップ１５５）。
【００８５】
図１０（ｂ）は、携帯電話２が再登録エラー画面データを用いて表示した再登録エラー画面の１例を示した図である。
図に示したように、再登録エラー画面には、ＩＣチップ５が再登録できなかった理由が列挙される。本実施の形態では、これらのうち、どの項目が原因でエラーが生じたかまではユーザに通知しないが、例えば「新メールアドレスに既に別のチップが登録されているため、再登録できませんでした」などと、エラーの原因を特定するように表示することも可能である。
【００８６】
図１０（ｃ）は、携帯電話２が再登録完了画面データを用いて表示した再登録完了画面の１例を示した図である。
再登録完了画面データには、再登録したチップＩＤが含まれており、再登録完了画面には再登録が完了した旨とチップＩＤが表示される。
【００８７】
次に、（３）のＩＣチップ５の登録を削除する場合について説明する。これは、例えば、携帯電話２に取り付けたＩＣチップ５を破棄する場合などである。
削除処理の手順は、電子メールによる削除申込手順と、Ｗｅｂサイトを用いた削除手順の２つに大別することができる。
【００８８】
図１１は、削除申込手順を説明するためのフローチャートである。
まず、ユーザは、携帯電話２を電子メールモードにし、本文未入力のまま削除申込電子メールを予め指定されている所定のメールアドレスに送信する（ステップ２０５）。
【００８９】
次に、情報配信サーバ１０は、この削除申込電子メールを受信する（ステップ２２０）。
ＣＰＵ５３は、受信した削除申込電子メールの本文が未入力であることを確認する（ステップ２２５）。
【００９０】
次に、ＣＰＵ５３は、受信した削除申込電子メールの送信元のメールアドレスを抽出する。そして、ＣＰＵ５３は、抽出したメールアドレスがユーザマスタ７０に登録されているか否かを確認する（ステップ２３０）。
この場合、ＣＰＵ５３は、宛先情報（メールアドレス）取得手段を構成している。
メールアドレスがユーザマスタ７０に登録されていない場合（ステップ２３０；Ｎ）、メールアドレスが登録されていない旨の削除エラー電子メールを返送する（ステップ２５０）。
【００９１】
メールアドレスが登録されている場合（ステップ２３０；Ｙ）、ＣＰＵ５３は、ワンタイムパスワードを発行する（ステップ２３５）。
なお、後程、ユーザから送られてくるワンタイムパスワードと照合するために当該ワンタイムパスワードをＲＡＭ５４などに一時的に記憶しておく。
【００９２】
次に、ＣＰＵ５３は、削除用電子メールを生成し、これを携帯電話２に送信する（ステップ２４０）。削除申込電子メールには、ワンタイムパスワードの他、ワンタイムパスワードの返信先であるチップ管理サイトのＵＲＬが含まれている。
この場合、ＣＰＵ５３は、パスワードと返信先の宛先情報を送信するパスワード送信手段を構成している。
次に、携帯電話２は、削除用電子メールを受信する（ステップ２１０）。
【００９３】
図１３（ａ）は、携帯電話２の表示部２２に表示された削除用電子メールの１例を示した図である。
削除用電子メールには、有効期限２８０、チップ管理サイトのＵＲＬ２８１、ワンタイムパスワード２８２が表示される。
有効期限２８０は、ワンタイムパスワードの有効期限を示した図である。この期限までにワンタイムパスワード２８２をチップ管理サイトに送信しないと、ＩＣチップの削除は無効となる。
【００９４】
ユーザは専用キー２３（図２）を操作してクリックするなどしてＵＲＬ２８１を選択することができる。
そして、ＵＲＬ２８１が選択されると携帯電話２は自動的にＷｅｂモードになってチップ管理サイトにアクセスし、ワンタイムパスワード２８２を送信するようになっている。
【００９５】
図１３（ｂ）は、表示部２２に表示された削除エラー電子メールの１例を示したものである。
図に示したように、ユーザが使用した携帯電話のメールアドレスがユーザマスタ７０に登録されていない旨が表示される。
【００９６】
図１２は、チップ削除手順を説明するためのフローチャートである。
まず、ユーザが削除用電子メール中のＵＲＬ２８１を選択し、ワンタイムパスワード２８２を情報配信サーバ１０に送信する（ステップ２５０）。
情報配信サーバ１０では、ＣＰＵ５３がワンタイムパスワード２８２を取得する。この場合、ＣＰＵ５３は、返信されてきたパスワードを取得するパスワード取得手段を構成している。
そして、これを用いてＲＡＭ５４などに一時記憶してある発行済みのワンタイムパスワードを検索し、一致するものがあるか否かを確認する。一致するものがあった場合、更に有効期限を確認し、受信したワンタイムパスワード２８２が妥当なものであるか否かを確認する（ステップ２６０）。
【００９７】
ワンタイムパスワード２８２が妥当でない場合（ステップ２６０；Ｎ）、ＣＰＵ５３は、削除エラー画面データを携帯電話２に送信する（ステップ２９０）。
ワンタイムパスワードが妥当であった場合（ステップ２６０；Ｙ）、ＣＰＵ５３は、携帯電話２のメールアドレス（削除電子メールから抽出）をユーザマスタ７０で検索し、当該メールアドレスにチップＩＤが紐付けされているか否かを確認する（ステップ２６５）。
【００９８】
当該電子メールアドレスにチップＩＤが紐付けされていない場合は（ステップ２６５；Ｎ）、ＣＰＵ５３は、削除エラー画面データを携帯電話２に送信する（ステップ２９０）。
当該メールアドレスにチップＩＤが紐付けされていた場合は（ステップ２６５；Ｙ）、ＣＰＵ５３は、当該メールアドレスと当該チップＩＤの紐付けを解除する（ステップ２７０）。
この場合、ＣＰＵ５３は、登録解除手段を構成している。
【００９９】
次に、ＣＰＵ５３は、削除完了画面データを携帯電話２に送信する（ステップ２７５）。
携帯電話２は、受信した削除エラー画面データ又は削除完了画面データを用いて表示部に削除エラー画面又は削除完了画面を表示する（ステップ２５５）。
【０１００】
図１３（ｃ）は、削除エラー画面の１例を示した図である。このように、削除エラー画面には、ＩＣチップ５の削除が行えなかった理由が列挙される。本実施の形態では、これらのうち、どの項目が原因でエラーが生じたかまではユーザに通知しないが、例えば「メールアドレスにチップがあるため削除できません」などと、エラーの原因を特定するように表示することも可能である。
【０１０１】
図１３（ｄ）は、削除結果画面の１例を示した図である。
削除結果画面データには、削除したチップＩＤが含まれており、削除結果画面には削除が完了した旨とチップＩＤが表示される。
【０１０２】
以上に説明した本実施の形態により以下のような効果を得ることができる。
ユーザは、電子メールの送信と、情報配信サーバ１０から送信されてきた電子メール中のＵＲＬを選択するといった簡単な操作により、ＩＣチップの登録、再登録、削除などの手続を行うことができる。
【０１０３】
申込用の電子メールを一旦受け付け、その送信元に手続用の電子メールを送信することにより、電子メールの送信元のなりすましなどを防ぐことができ、手続の安全性が高められる。
また、手続き用の電子メールにワンタイムパスワードを発行することにより、電子メール単体で手続を行う場合よりもセキュリティを高めることができる。
【０１０４】
以上に説明した、本実施の形態では、情報配信サーバ１０が、ＩＣチップ５の登録と、携帯電話２に対する情報配信の双方を行ったが、ＩＣチップ５を登録するＩＣチップ登録サーバ装置と、情報を配信する情報配信サーバ装置が別となるように構成することもできる。この場合は、例えば、ＩＣチップ登録サーバ装置がチップＩＤとメールアドレスとの紐付けをデータベースなどを用いて管理し、情報配信サーバが情報配信の際に、チップＩＤとメールアドレスとの対応関係をこのデータベースなどで検索するようにすれば良い。
また、ＩＣチップ５の登録などの処理を行う際に、電子メールの送受信とＷｅｂサイトの管理を情報配信サーバ１０で行ったが、電子メールの送受信を管理するメールサーバとＷｅｂサイトの管理を行うＷｅｂサーバを組み合わせて構成しても良い。
【０１０５】
なお、本実施の形態では、情報配信サーバ１０の端末装置として携帯電話２を用いたが、これに限定するものではなく、例えば、ポケットベルやゲーム機、ＰＤＡ（Ｐｅｒｓｏｎａｌ  Ｄｉｇｉｔａｌ  Ａｓｓｉｓｔａｎｔ）など、ネットワークに接続可能でデータ通信を行う機能を有するものであれば何でも良い。
また、ＩＣチップ５をストラップ６に埋め込んだが、これに限定するものではなく、例えば、ＩＣチップ５を粘着テープを用いて携帯電話２に貼付したり、あるいは携帯電話２の内部にセットしたりすることもできる。
また、携帯電話２とＩＣチップ２を結び付けておく必要はなく、例えば、ＩＣチップ５をプラスチックカードなどに埋め込み、携帯しても良い。
なお、ＩＣチップ２は、非接触型の物に限らず、例えば、接触型ＩＣチップ、磁気媒体など、システム側に固有のＩＤを返せるものであれば使用できる。
また、端末装置は、携帯できるものに限定せずに、例えばパーソナルコンピュータなどの据え置き型の端末装置としても良い。
【０１０６】
（実施例）
次に、情報配信システム１を用いた実施例について説明する。
図１４は、本実施例における情報配信システム９５のシステム構成の１例を示したブロック図である。
商業エリア９４は、レストラン、映画館、商品販売店、博物館などの店舗や施設（以下テナントと記す）などが集まった複合商業施設である。
【０１０７】
商業エリア９４の来場者は、ＩＣチップ配布所９３でＩＣチップ５が埋め込まれたストラップ６をもらい、これを携帯電話２を取り付ける。そして、ユーザは、基地局１５とネットワーク８を介して情報配信サーバ１０にアクセスし、ＩＣチップ５のチップＩＤと携帯電話２のメールアドレスを登録する。
また、来場者は退出する際に、ＩＣチップ５をＩＣチップ配布所９３に返却した後、情報配信サーバ１０にアクセスしてＩＣチップ５の登録を削除することもできるし、次回来場のために保持したまま退場することもできる。
【０１０８】
商業エリア９４には、例えばレストランのレジ付近、映画館の入場ゲート付近、あるいは博物館の入り口や各展示物付近など、商業エリア９４の各場所にスキャナ７、７、７、・・・、が設置されている。
スキャナ７は、エリアごとに設置されたコントローラ９１、９１、９１、・・・、に接続されており、スキャナの出力（チップＩＤ、スキャナＩＤ、その他のデータ）は、エリアごとにコントローラ９１、９１、９１、・・・、で集計される。
以下では、スキャナ７、７、７、・・・、及びコントローラ９１、９１、９１、・・・、は、特に区別しないので、単にスキャナ７、コントローラ９１と記すことにする。
【０１０９】
コントローラ９１は、コンピュータ９２に接続されており、コントローラ９１、９１、９１、の出力は、更にコンピュータ９２で集計された後、ネットワーク８を介して情報配信サーバ１０に送信される。
なお、コントローラ９１は、スキャナ７から取得したデータに例えば、受信時刻などのその他のデータを付加してコンピュータ９２に送信するように構成することもできる。
【０１１０】
情報配信サーバ１０は、コンピュータ９２から取得したスキャナＩＤなどから送信するコンテンツを特定し、更にチップＩＤから送信先のメールアドレスを特定した後、このコンテンツを特定したメールアドレスへ基地局１５を介して配信する。
【０１１１】
商業エリア９４のテナントは、コンテンツ配信事業者からスキャナ７を借り受け、各スキャナに対応したコンテンツを情報配信サーバ１０に登録することができる。
例えば、テナントが博物館である場合、各展示物の付近にスキャナ７を設置し、ユーザがＩＣチップ５をこのスキャナ７に近づけると、当該展示物の更に詳しい説明や、展示物が動物である場合、その動物の動画や鳴き声などを携帯電話２に配信するようにすることができる。
【０１１２】
また、ユーザがＩＣチップをスキャナ７にかざすと、このユーザの現在位置が特定できるので、ユーザの位置に基づいた広告コンテンツを配信することもできる。
更に、ＩＣチップ５を情報配信サーバ１０に登録する再に、例えばカップル、友達同士、ファミリーなどユーザの属するカテゴリーを共に登録するようにし、ユーザの属するカテゴリーに応じた広告コンテンツを配信するようにすることもできる。
【０１１３】
加えて、レストランやみやげ物店などでは、ユーザが食事や買物などをした場合、レジ付近に設置したスキャナ７にＩＣチップ５をかざしてもらい、このユーザにスタンプを発行することもできる。
発行するスタンプ数は、各スキャナ７ごとに設定されており、ユーザは、発行されたスタンプを蓄積することができる。
スタンプには、有効期間が設定されており、有効期限内のスタンプの残高がある一定額に達すると、ユーザは商品の割引や商業エリア９４への入場が無料になるなどの特典を得ることができる一方、商業エリア９４側でも来場頻度が高いユーザと低いユーザを識別でき、ユーザの差別化を図ることなどができる。
【０１１４】
以下に、情報配信サーバ１０が発行するスタンプについて説明する。
情報配信サーバ１０は、スキャナＩＤと、当該スキャナＩＤを有するスキャナ７がＩＣチップをスキャンした場合に発行するスタンプ数を関係付けたデータベースを有している。
また、情報配信サーバ１０は、登録されているメールアドレスに関連付けられた関連データを格納する関連データベースを備えている。
関連データは、発行されたスタンプに関する情報の他、ユーザのカテゴリやその他の情報をメールアドレスごとに格納することができる。
【０１１５】
図１５は、あるメールアドレスに関連付けられた関連データのうちスタンプに関する部分を表にして示したものである。
この表において、日時欄はスタンプが発行された日時を表している。スキャナＩＤ欄は、当該スタンプを発行する際に、ＩＣチップ５をスキャンしたスキャナ７のスキャナＩＤを示している。
スキャナ名は、例えば、「博物館入り口」など、当該スキャナ７につけられた固有の名前を示している。スタンプ欄は、発行したスタンプ数を示している。スタンプ残高欄は、スタンプの残高を示しており、スタンプ欄のスタンプ数を基に計算されたものである。
【０１１６】
ユーザは、携帯電話２から情報配信１０にアクセスすることにより、スタンプ残高を照会することができる。
この残高照会手順は、情報配信サーバ１０が電子メールを用いて携帯電話２にワンタイムパスワードを発行する残高照会申込手順と、Ｗｅｂサイトを用いて情報配信サーバ１０が携帯電話からワンタイムパスワードを受信してこれを確認し、チップＩＤを登録する残高照会手順に大別することができる。
【０１１７】
図１６は、残高照会申込手順を説明するためのフローチャートである。
まず、ユーザは、携帯電話２を電子メールモードにし、本文未入力のまま残高照会申込電子メールを残高照会用に設定されている所定のメールアドレスに送信する（ステップ３０５）。
【０１１８】
次に、情報配信サーバ１０は、この残高照会申込電子メールを受信する（ステップ３２０）。
次に、ＣＰＵ５３は、受信した残高照会申込電子メールの送信元のメールアドレスを抽出する。この場合、ＣＰＵ５３は、宛先情報取得手段を構成している。
次に、ＣＰＵ５３は、抽出したメールアドレスがユーザマスタ７０に登録されているか否かを確認する（ステップ３３０）。
メールアドレスがユーザマスタ７０に登録されていない場合（ステップ３３０；Ｎ）、メールアドレスが登録されていない旨の残高照会エラー電子メールを返送する（ステップ３５０）。
【０１１９】
メールアドレスが登録されている場合（ステップ３３０；Ｙ）、ＣＰＵ５３は、ワンタイムパスワードを発行する（ステップ３３５）。
なお、後程、ユーザから送られてくるワンタイムパスワードと照合するために当該ワンタイムパスワードをＲＡＭ５４などに一時的に記憶しておく。
【０１２０】
次に、ＣＰＵ５３は、残高照会用電子メールを生成し、これを携帯電話２に送信する（ステップ３４０）。残高照会用電子メールには、ワンタイムパスワードの他、ワンタイムパスワードの返信先である残高照会サイトのＵＲＬが含まれている。
この場合、ＣＰＵ５３は、パスワードと当該パスワードの返信先の宛先情報を送信するパスワード送信手段を構成している。
次に、携帯電話２は、残高照会用電子メールを受信する（ステップ３１０）。
【０１２１】
図１８（ａ）は、携帯電話２の表示部２２に表示された残高照会用電子メールの１例を示した図である。
残高照会用電子メールには、有効期限３８０、チップ管理サイトのＵＲＬ３８１、ワンタイムパスワード３８２が表示される。
有効期限３８０は、ワンタイムパスワードの有効期限を示した図である。この期限までにワンタイムパスワード３８２を残高照会サイトに送信しないと、残高照会は無効となる。
【０１２２】
ユーザは専用キー２３（図２）を操作してクリックするなどしてＵＲＬ３８１を選択することができる。
そして、ＵＲＬ３８１が選択されると携帯電話２は自動的にＷｅｂモードになって残高照会サイトにアクセスし、ワンタイムパスワード３８２を送信するようになっている。
【０１２３】
図１８（ｂ）は、表示部２２に表示された残高照会エラー電子メールの１例を示したものである。
図に示したように、ユーザが使用した携帯電話２のメールアドレスがユーザマスタ７０に登録されていない旨が表示される。
【０１２４】
図１７は、残高照会手順を説明するためのフローチャートである。
まず、ユーザが残高照会用電子メール中のＵＲＬ３８１を選択し、ワンタイムパスワード３８２を情報配信サーバ１０に送信する（ステップ３５０）。
情報配信サーバ１０では、ＣＰＵ５３がワンタイムパスワード３８２を取得する。この場合、ＣＰＵ５３は、パスワード取得手段を構成している。
次に、ＣＰＵ５３は、これを用いてＲＡＭ５４などに一時記憶してある発行済みのワンタイムパスワード３８２を検索し、一致するものがあるか否かを確認する。一致するものがあった場合、更に有効期限を確認し、受信したワンタイムパスワード３８２が妥当なものであるか否かを確認する（ステップ３６０）。
【０１２５】
ワンタイムパスワード３８２が妥当でない場合（ステップ３６０；Ｎ）、ＣＰＵ５３は、残高照会エラー画面データを携帯電話２に送信する（ステップ３９０）。
ワンタイムパスワード３８２が妥当であった場合（ステップ３６０；Ｙ）、ＣＰＵ５３は、携帯電話２のメールアドレス（残高照会電子メールから抽出）に関する関連データを関連データベースで検索し、当該メールアドレスのユーザがスタンプオプションを購入しているか否かを確認する（ステップ３６５）。なお、スタンプの蓄積はオプションであり、ユーザがチップＩＤ登録時に選択できるものとする。
【０１２６】
当該電子メールアドレスにスタンプオプションが設定されていない場合は（ステップ３６５；Ｎ）、ＣＰＵ５３は、残高照会エラー画面データを携帯電話２に送信する（ステップ３９０）。
当該メールアドレスにスタンプオプションが設定されている場合は（ステップ３６５；Ｙ）、ＣＰＵ５３は、関連データベースで当該メールアドレスに関するスタンプの残高を検索する（ステップ３７０）。
【０１２７】
次に、ＣＰＵ５３は、残高照会画面データを携帯電話２に送信する（ステップ３７５）。この場合、ＣＰＵ５３は、コンテンツを配信する配信手段を構成している。
携帯電話２は、受信した残高照会エラー画面データ又は残高照会画面データを用いて表示部に残高照会エラー画面又は残高照会画面を表示する（ステップ３５５）。
【０１２８】
図１８（ｃ）は、残高照会エラー画面の１例を示した図である。このように、残高照会エラー画面には、残高照会が行えなかった理由が列挙される。本実施の形態では、これらのうち、どの項目が原因でエラーが生じたかまではユーザに通知しないが、エラーの原因を特定するように表示することも可能である。
【０１２９】
図１８（ｄ）は、残高画面の１例を示した図である。
残高画面データには、スタンプの残高が星印の個数で表されると共に、スタンプの有効期限が表示される。この有効期限は、情報配信サーバ１０が発行したスタンプのうち、最も有効期限が近いものが表示される。
有効期限の決め方は、スタンプごとに有効日数を設定しても良いし、所定の基準日に基づいて決めても良い（最初にスタンプを押してから、あるいは最後にスタンプを押してからの日数）。更に、有効期限を絶対値（所定の日など）にて指定しても良い。
このように、ユーザは携帯電話２からＩＣチップ５単位のスタンプ残高を確認することができる。
【０１３０】
本実施例では、ワンタイムパスワードを用いてスタンプの残高を照会する場合を説明したが、これに限定するものではなく、例えば、テナントが発行したポイントやその他の、メールアドレスに関連付けられた個人的なデータを紹介する場合も、ワンタイムパスワードの使用によってセキュリティが高められる。
【０１３１】
以上、本発明１実施形態及び１実施例について説明したが、本発明はこれらに限定されるものではなく、各請求項に記載した範囲において各種の変形を行うことが可能である。
【０１３２】
【発明の効果】
本発明によれば、非接触ＩＤを特定する情報と、コンテンツ送信先を特定する情報を簡単にかつ安全に登録することができる。
【図面の簡単な説明】
【図１】本実施の形態に係る１例の、情報配信システムの構成を示した図である。
【図２】同上、携帯電話の外観を示した図である。
【図３】同上、（ａ）は、情報配信サーバの構成の１例を示した図であり、（ｂ）は、プログラム格納部に格納されているプログラムの１例を示した図であり、（ｃ）は、データベース格納部に格納されている各種データの１例を示した図である。
【図４】同上、ユーザマスタとチップリストとの関係を説明するための図である。
【図５】同上、登録申込手順を説明するためのフローチャートである。
【図６】同上、登録手順を説明するためのフローチャートである。
【図７】同上、（ａ）は、登録用電子メールの１例を示した図であり、（ｂ）は、登録エラー画面の１例を示した図であり、（ｃ）は、登録完了画面の１例を示した図である。
【図８】同上、再登録申込手順を説明するためのフローチャートである。
【図９】同上、再登録手順を説明するためのフローチャートである。
【図１０】同上、（ａ）は、再登録用電子メールの１例を示した図であり、（ｂ）は、再登録エラー画面の１例を示した図であり、（ｃ）は、携帯電話２が再登録完了画面の１例を示した図である。
【図１１】同上、削除申込手順を説明するためのフローチャートである。
【図１２】同上、チップ削除手順を説明するためのフローチャートである。
【図１３】同上、（ａ）は、削除用電子メールの１例を示した図であり、（ｂ）は、削除エラー電子メールの１例を示したものであり、（ｃ）は、削除エラー画面の１例を示した図であり、（ｄ）は、削除結果画面の１例を示した図である。
【図１４】本実施例における１例の、情報配信システムの構成を示したブロック図である。
【図１５】同上、関連データのうちスタンプに関する部分を表にして示したものである。
【図１６】同上、残高照会申込手順を説明するためのフローチャートである。
【図１７】残高照会手順を説明するためのフローチャートである。
【図１８】同上、（ａ）は、残高照会用電子メールの１例を示した図であり、（ｂ）は、残高照会エラー電子メールの１例を示したものであり、（ｃ）は、残高照会エラー画面の１例を示した図であり、（ｄ）は、残高画面の１例を示した図である。
【図１９】従来例に係る、ＩＣチップとインターネット対応の携帯電話を組み合わせた広告システムの一例を示した図である。
【符号の説明】
１  情報配信システム
２  携帯電話
５  ＩＣチップ
６  ストラップ
７  スキャナ
８  ネットワーク
１０  情報配信サーバ
１５  基地局
２１  アンテナ
２２  表示部
２３  専用キー
２４  各種キー
２５  カーソルキー
５１  制御部
５２  ＲＯＭ
５３  ＣＰＵ
５４  ＲＡＭ
５５  入力装置
５６  出力装置
５７  通信制御装置
５８  記憶装置
５９  プログラム格納部
６０  データベース格納部
６１  記憶媒体駆動装置
６２  入出力インターフェース
６５  チップ管理プログラム
６６  情報配信プログラム
７０  ユーザマスタ
７１  チップリスト
７２  コンテンツ
９１  コントローラ
９２  コンピュータ
９３  チップ配布所
９４  商業エリア
１０１  携帯電話
１０２  ＩＣチップ
１０３  アンテナ
１０４  端末装置
１０５  広告サーバ
１０６  テーブル
１０７  基地局
１０８  看板
【図１】
0003997091.tif 000002
【図２】
0003997091.tif 000003
【図３】
0003997091.tif 000004
【図４】
0003997091.tif 000005
【図５】
0003997091.tif 000006
【図６】
0003997091.tif 000007
【図７】
0003997091.tif 000008
【図８】
0003997091.tif 000009
【図９】
0003997091.tif 000010
【図１０】
0003997091.tif 000011
【図１１】
0003997091.tif 000012
【図１２】
0003997091.tif 000013
【図１３】
0003997091.tif 000014
【図１４】
0003997091.tif 000015
【図１５】
0003997091.tif 000016
【図１６】
0003997091.tif 000017
【図１７】
0003997091.tif 000018
【図１８】
0003997091.tif 000019
【図１９】
0003997091.tif 000020